(57)【要約】  無線デバイス（９０）を無線ネットワーク（１００）内で動作させるための方法であって、無線デバイス（９０）は、上位層シグナリングによって、チャネル状態情報（ＣＳＩ）を測定および／または報告するための第１の測定制限（ＭＲ）設定を用いて設定され、本方法は、ＣＳＩを測定および／または報告するための第２のＭＲ設定が、ＣＳＩを測定および／または報告するための第１のＭＲ設定を置換することを指示する第１の指示を、下位層シグナリングを用いて送信すること（４２）を含む、方法が開示される。【選択図】図５
2019501561.tif 000002
【特許請求の範囲】
【請求項１】
無線ネットワークノード（８０）において、無線ネットワーク（１００）内で無線デバイス（９０）を動作させるための方法であって、前記無線デバイス（９０）は、上位層シグナリングによって、チャネル状態情報（ＣＳＩ）を測定および／または報告するための第１の測定制限（ＭＲ）設定を用いて設定される、方法において、
−  ＣＳＩを測定および／または報告するための第２のＭＲ設定が、ＣＳＩを測定および／または報告するための前記第１のＭＲ設定を置換することを指示する第１の指示を、下位層シグナリングを用いて送信すること（４２）
を含む、方法。
【請求項２】
ＣＳＩを測定および／または報告するための前記第２のＭＲ設定が、所定の期間の間、ＣＳＩを測定および／または報告するための前記第１のＭＲ設定を置換する、請求項１に記載の方法。
【請求項３】
前記所定の期間が、設定可能な時間の後に終了する、請求項２に記載の方法。
【請求項４】
前記方法が、
−  下位層シグナリングを用いて第２の指示を送信すること（４４）であって、前記第２の指示は、前記所定の期間が終了することを指示する、送信すること（４４）
をさらに含む、請求項２に記載の方法。
【請求項５】
ＣＳＩを測定および／または報告するための前記第２のＭＲ設定が前もって決められている、請求項１に記載の方法。
【請求項６】
ＣＳＩを測定および／または報告するための前記第２のＭＲ設定が所定のＭＲ設定のセットから選択される、請求項１に記載の方法。
【請求項７】
ＣＳＩを測定および／または報告するための前記第２のＭＲ設定が測定制限を含まない、請求項１から６のいずれか一項に記載の方法。
【請求項８】
−  前記無線デバイス（９０）から、ＣＳＩを測定および／または報告するための前記第２のＭＲ設定に基づくＣＳＩ報告を受信すること
をさらに含む、請求項１から７のいずれか一項に記載の方法。
【請求項９】
無線デバイス（９０）においてチャネル状態情報（ＣＳＩ）を報告するための方法であって、前記無線デバイス（９０）は、上位層シグナリングによって、第１の測定制限（ＭＲ）設定に従ってＣＳＩを測定および／または報告するように設定される、方法において、
−  下位層シグナリングによって、無線ネットワークノード（８０）から、ＣＳＩを測定および／または報告するための第２のＭＲ設定が、ＣＳＩを測定および／または報告するための前記第１のＭＲ設定を置換することを指示する第１の指示を受信すること（５２）
を含む、方法。
【請求項１０】
ＣＳＩを測定および／または報告するための前記第２のＭＲ設定が、所定の期間の間、ＣＳＩを測定および報告する際に、ＣＳＩを測定および／または報告するための前記第１のＭＲ設定を置換する、請求項９に記載の方法。
【請求項１１】
前記所定の期間が、設定可能な時間の後に終了する、請求項１０に記載の方法。
【請求項１２】
前記方法が、
−  下位層シグナリングによって、前記所定の期間が終了することを指示する第２の指示を受信すること（５４）
をさらに含む、請求項１０に記載の方法。
【請求項１３】
ＣＳＩを測定および報告するためのＣＳＩを測定および／または報告するための前記第２のＭＲ設定が前もって決められている、請求項９に記載の方法。
【請求項１４】
ＣＳＩを測定および／または報告するための前記第２のＭＲ設定が所定のＭＲ設定のセットから選択される、請求項９に記載の方法。
【請求項１５】
ＣＳＩを測定および／または報告するための前記第２のＭＲ設定が測定制限を含まない、請求項９から１４のいずれか一項に記載の方法。
【請求項１６】
−  ＣＳＩを測定および／または報告するための前記第２のＭＲ設定に基づくＣＳＩ報告を前記無線ネットワークノード（８０）へ送信すること
をさらに含む、請求項９から１５のいずれか一項に記載の方法。
【請求項１７】
無線ネットワーク（１００）内で無線デバイス（９０）を動作させるための無線ネットワークノード（８０）であって、処理回路機構とメモリとを備え、前記メモリは前記処理回路機構によって実行可能な命令を含む、無線ネットワークノード（８０）において、
−  ＣＳＩを測定および／または報告するための第２のＭＲ設定が、ＣＳＩを測定および／または報告するための第１のＭＲ設定を置換することを指示する第１の指示を、下位層シグナリングを用いて送信する
ように適合されており、および／または設定されており、および／または動作可能である、無線ネットワークノード（８０）。
【請求項１８】
ＣＳＩを測定および／または報告するための前記第２のＭＲ設定が、所定の期間の間、ＣＳＩを測定および／または報告するための前記第１のＭＲ設定を置換する、請求項１７に記載の無線ネットワークノード（８０）。
【請求項１９】
前記所定の期間が、設定可能な時間の後に終了する、請求項１８に記載の無線ネットワークノード（８０）。
【請求項２０】
−  下位層シグナリングを用いて第２の指示を送信すること（４４）であって、前記第２の指示は、前記所定の期間が終了することを指示する、送信すること（４４）
を行うようにさらに適合されている、および／または設定されている、請求項１８に記載の無線ネットワークノード（８０）。
【請求項２１】
ＣＳＩを測定および／または報告するための前記第２のＭＲ設定が前もって決められている、請求項１７に記載の無線ネットワークノード（８０）。
【請求項２２】
ＣＳＩを測定および／または報告するための前記第２のＭＲ設定が所定のＭＲ設定のセットから選択される、請求項１７に記載の無線ネットワークノード（８０）。
【請求項２３】
ＣＳＩを測定および／または報告するための前記第２のＭＲ設定が測定制限を含まない、請求項１７から２２のいずれか一項に記載の無線ネットワークノード（８０）。
【請求項２４】
−  前記無線デバイス（９０）から、ＣＳＩを測定および／または報告するための前記第２のＭＲ設定に基づくＣＳＩ報告を受信する
ようにさらに適合されている、および／または設定されている、請求項１７から２２のいずれか一項に記載の無線ネットワークノード（８０）。
【請求項２５】
チャネル状態情報（ＣＳＩ）を報告するための無線デバイス（９０）であって、上位層シグナリングによって、チャネル状態情報（ＣＳＩ）を測定および／または報告するための第１の測定制限（ＭＲ）設定を用いて設定されており、前記無線デバイス（９０）は処理回路機構とメモリとを備え、前記メモリは前記処理回路機構によって実行可能な命令を含み、それにより、前記無線デバイス（９０）は、
−  下位層シグナリングによって、無線ネットワークノード（８０）から、ＣＳＩを測定および／または報告するための第２のＭＲ設定が、ＣＳＩを測定および／または報告するための前記第１のＭＲ設定を置換することを指示する第１の指示を受信する
ように適合されており、および／または設定されており、および／または動作可能である、無線デバイス（９０）。
【請求項２６】
ＣＳＩを測定および／または報告するための前記第２のＭＲ設定が、所定の期間の間、ＣＳＩを測定および報告する際に、ＣＳＩを測定および／または報告するための前記第１のＭＲ設定を置換する、請求項２５に記載の無線デバイス（９０）。
【請求項２７】
前記所定の期間が、設定可能な時間の後に終了する、請求項２６に記載の無線デバイス（９０）。
【請求項２８】
前記無線デバイス（９０）が、
−  下位層シグナリングによって、前記所定の期間が終了することを指示する第２の指示を受信する
ようにさらに適合されている、および／または設定されている、請求項２６に記載の無線デバイス（９０）。
【請求項２９】
ＣＳＩを測定および報告するためのＣＳＩを測定および／または報告するための前記第２のＭＲ設定が前もって決められている、請求項２５に記載の無線デバイス（９０）。
【請求項３０】
ＣＳＩを測定および／または報告するための前記第２のＭＲ設定が所定のＭＲ設定のセットから選択される、請求項２５に記載の無線デバイス（９０）。
【請求項３１】
ＣＳＩを測定および／または報告するための前記第２のＭＲ設定が測定制限を含まない、請求項２５から３０のいずれか一項に記載の無線デバイス（９０）。
【請求項３２】
−  ＣＳＩを測定および／または報告するための前記第２のＭＲ設定に基づくＣＳＩ報告を前記無線ネットワークノード（８０）へ送信する
ようにさらに適合されている、および／または設定されている、請求項２５から３１のいずれか一項に記載の無線デバイス（９０）。
【発明の詳細な説明】
【技術分野】
【０００１】
本明細書における諸実施形態は、概して、電気通信および／またはデータ通信に関し、詳細には、無線通信におけるＣＳＩ測定制限を設定するための方法および装置に関する。
【背景技術】
【０００２】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）およびロングタームエボリューション（Ｌｏｎｇ  Ｔｅｒｍ  Ｅｖｏｌｕｔｉｏｎ、ＬＴＥ）の標準化を担っている。ＬＴＥに関する３ＧＰＰの取組みは、拡張ユニバーサル地上アクセスネットワーク（Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ、Ｅ−ＵＴＲＡＮ）とも呼ばれる。ＬＴＥは、ダウンリンクにおいても、アップリンクにおいても高データ転送速度に達することができる高速パケットベース通信を実現するための技術であり、第４世代移動体通信システムと考えられている。高データ転送速度をサポートするために、ＬＴＥは、２０ＭＨｚのシステム帯域幅、またはキャリアアグリゲーションが用いられる時には、最大１００ＭＨｚのシステム帯域幅を可能にする。ＬＴＥは異なる周波数帯域内で動作することもでき、少なくとも周波数分割複信（Ｆｒｅｑｕｅｎｃｙ  Ｄｉｖｉｓｉｏｎ  Ｄｕｐｌｅｘ、ＦＤＤ）モードおよび時分割複信（Ｔｉｍｅ  Ｄｉｖｉｓｉｏｎ  Ｄｕｐｌｅｘ、ＴＤＤ）モードで動作することができる。ＬＴＥによって提供されるデータ転送速度をさらに改善するために、３ＧＰＰは現在、第５世代移動体通信システムになると見なされる新無線アクセス技術（Ｎｅｗ  Ｒａｄｉｏ  ａｃｃｅｓｓ  ｔｅｃｈｎｏｌｏｇｙ、ＮＲ）を規定している。ＮＲは、広範囲のキャリア周波数をサポートし、６ＧＨｚ未満および６ＧＨｚ超の両方を含む。
【０００３】
ＬＴＥ  Ｒｅｌ−８では、ＣＳＩ推定およびフィードバックのため、ならびに復調のためのチャネル推定のために、ＤＬにおいてセル固有参照信号（ｃｅｌｌ−ｓｐｅｃｉｆｉｃ  ｒｅｆｅｒｅｎｃｅ  ｓｉｇｎａｌ、ＣＲＳ）が用いられる。ＣＲＳはあらゆるサブフレームにおいて送信され、最大４つのアンテナポート（ａｎｔｅｎｎａ  ｐｏｒｔ、ＡＰ）をサポートするように規定されている。ＬＴＥ  Ｒｅｌ−１０では、最大８つのＡＰをサポートするために、ＵＥが複数のＡＰを用いてＣＳＩフィードバックを測定および／または報告するためのＣＳＩ参照信号（ＣＳＩ  ｒｅｆｅｒｅｎｃｅ  ｓｉｇｎａｌ、ＣＳＩ−ＲＳ）が規定されている。ＬＴＥでは、ＵＥは、特定のリソース上の測定に基づくチャネル状態情報（ｃｈａｎｎｅｌ  ｓｔａｔｅ  ｉｎｆｏｒｍａｔｉｏｎ、ＣＳＩ）を報告するように設定され得る。これらがいわゆるＣＳＩ−ＲＳリソースである。ＣＳＩ−ＲＳリソースは、非ゼロ電力（ｎｏｎ−ｚｅｒｏ  ｐｏｗｅｒ、ＮＺＰ）ＣＳＩ−ＲＳリソース、および／またはゼロ電力（ｚｅｒｏ  ｐｏｗｅｒ、ＺＰ）ＣＳＩ−ＲＳリソースに関連付けられ得る。ＮＺＰ  ＣＳＩ−ＲＳリソースに対しては、ＵＥはサービングセルからの非ゼロ電力送信を期待し得、それに対して、ＺＰ  ＣＳＩ−ＲＳリソース（ＣＳＩ干渉測定（ＣＳＩ  ｉｎｔｅｒｆｅｒｅｎｃｅ  ｍｅａｓｕｒｅｍｅｎｔ、ＣＳＩ−ＩＭ）リソースとも呼ばれる）に対しては、ＵＥはゼロ電力送信を期待し得る。
【０００４】
現在のＬＴＥでは、ＮＺＰ  ＣＳＩ−ＲＳリソースおよびＣＳＩ−ＩＭリソース（ＺＰ  ＣＳＩ−ＲＳリソースとしても知られる）は、上位層シグナリング、例えば、ＲＲＣシグナリングによって設定される。追加として、ＬＴＥでは、ＣＳＩ測定のための測定制限（ｍｅａｓｕｒｅｍｅｎｔ  ｒｅｓｔｒｉｃｔｉｏｎ、ＭＲ）を設定することが可能である。測定制限（ＭＲ）は、ＵＥがＣＳＩ測定を遂行することを許される時間が、例えば、単一のサブフレームに制限されることを意味する。
【０００５】
ＭＲは、ＣＳＩプロセスごとに、およびセルごとに設定され得る。全体で、ＵＥは、結果的に、少なくとも以下のもののためのＭＲを用いて独立に設定され得る：
・  複数のセルおよび／またはコンポーネントキャリア（現在、５〜３２個）
・  セルごとに複数のＣＳＩプロセス（最大４つ）
・  ＣＳＩプロセスごとに２つのサブフレームセット
・  サブフレームセットごとに、ＮＺＰ  ＣＳＩ−ＲＳおよびＺＰ  ＣＳＩ−ＲＳ
【０００６】
追加として、ＣＳＩプロセス内のＣＳＩ−ＲＳリソースの各々のための独立したＭＲを有するＣＳＩフィードバックを設定する可能性を予期することができる。現在、最大８つのＣＳＩ−ＲＳリソースがＣＳＩプロセス内でサポートされ得、このようなリソースは各々、最大８つのＣＳＩ−ＲＳアンテナポート（ＡＰ）をサポートし得る。したがって、ＵＥのための大量の独立したＭＲ設定が予期される。例えば、セルの可能な組み合わせを考慮するだけで、組み合わせの可能な数は次式に等しいことが分かる：
2019501561.tif 000003
【０００７】
セルおよび／またはコンポーネントキャリアの組み合わせの数は３２個のビットによって表現することができる。上述された組み合わせを全て含めると、全ての可能なセルの組み合わせを一意に識別するためには、より多くのビットが、すでに必要とされている３２ビットに追加されなければならない。
【０００８】
ＭＲの設定はＲＲＣシグナリングによって行われる。しかし、ＲＲＣ設定（または再設定）は遅延を暗示し得る。ＭＲ設定を急速に変更することによって、ネットワークが環境の変化に迅速に応答することができない場合には、ネットワーク性能は劣化することになる。
【０００９】
低遅延を有する下位層シグナリングメッセージをこの目的のために用いることは、限られた数の制御ビット、通常１００個未満、を有する下位層シグナリングメッセージ内であまりにも多くの制御ビットを占有するであろう、大量の異なるＭＲ設定（例えば、上式１参照）のゆえに、適当ではない。
【発明の概要】
【００１０】
本明細書に記載されている諸実施形態の目的は、以上において概説された問題および課題の少なくとも一部に対処することである。添付の独立請求項において規定されているとおりの、無線ネットワークノードおよび無線デバイスなどの、方法および装置を用いることによって、この目的およびその他のものを達成することが可能である。
【００１１】
一態様によれば、無線ネットワークノード８０内において、無線ネットワーク１００内で無線デバイス９０を動作させるための方法であって、無線デバイス９０は、上位層シグナリングによって、チャネル状態情報（ＣＳＩ）を測定および／または報告するための第１の測定制限（ＭＲ）設定を用いて設定され、本方法は、ＣＳＩを測定および／または報告するための第２のＭＲ設定が、ＣＳＩを測定および／または報告するための第１のＭＲ設定を置換することを指示する第１の指示を、下位層シグナリングを用いて送信すること（４２）を含む、方法が提供される。
【００１２】
別の態様によれば、無線デバイス９０を無線ネットワーク１００内で動作させるための無線ネットワークノード８０であって、この無線ネットワークノード８０は処理回路機構とメモリとを備え、前記メモリは前記処理回路機構によって実行可能な命令を含み、それにより、前記無線ネットワークノード８０は、ＣＳＩを測定および／または報告するための第２のＭＲ設定が、ＣＳＩを測定および／または報告するための第１のＭＲ設定を置換することを指示する第１の指示を、下位層シグナリングを用いて送信するように適合されており、および／または設定されており、および／または動作可能である、無線ネットワークノード８０が提供される。
【００１３】
第３の態様によれば、無線デバイス９０において、チャネル状態情報（ＣＳＩ）を報告するための方法であって、無線デバイス９０は、上位層シグナリングによって、第１の測定制限（ＭＲ）設定に従ってＣＳＩを測定および／または報告するように設定されており、本方法は、下位層シグナリングによって、無線ネットワークノード８０から、ＣＳＩを測定および／または報告するための第２のＭＲ設定が、ＣＳＩを測定および／または報告するための第１のＭＲ設定を置換することを指示する第１の指示を受信すること（５２）を含む、方法が提供される。
【００１４】
第４の態様によれば、チャネル状態情報（ＣＳＩ）を報告するための無線デバイス９０であって、この無線デバイス９０は、上位層シグナリングによって、チャネル状態情報（ＣＳＩ）を測定および／または報告するための第１の測定制限（ＭＲ）設定を用いて設定されており、無線デバイス９０は処理回路機構とメモリとを備え、前記メモリは前記処理回路機構によって実行可能な命令を含み、それにより、前記無線デバイス９０は、下位層シグナリングによって、無線ネットワークノード８０から、ＣＳＩを測定および／または報告するための第２のＭＲ設定が、ＣＳＩを測定および／または報告するための第１のＭＲ設定を置換することを指示する第１の指示を受信するように適合されており、および／または設定されており、および／または動作可能である、無線デバイス９０が提供される。
【００１５】
上述の無線デバイス９０および無線ネットワークノード８０ならびにこれらにおける方法は、後述される、さらなる特徴および利点を達成するための異なる任意選択的な実施形態に従って実施され、設定され得る。
【００１６】
これらの方法ならびに対応する無線ネットワークノード８０および無線デバイス９０によって達成される利点のうちのいくつかは以下のようにまとめることができる：
−  ＣＳＩを測定および／または報告するための測定制限の効率的な動的設定を可能にすること
−  無線デバイスのための改善されたリンク適応を可能にすること
−  個々の無線デバイスのための測定制限とリンク適応との間のトレードオフを最適化すること
−  ＣＳＩを測定および／または報告するためのＭＲの動的設定のシグナリングオーバヘッドを低減すること。
−  ＣＳＩを測定および／または報告するためのＭＲの動的設定は、ＵＥがいくつかのＣＳＩ−ＲＳリソースにわたる測定平均化を用いることを一時的に可能にするために、ＭＲを無効にする利点を有する。
【００１７】
次に、例示的な諸実施形態を用い、添付の図面を参照して、本解決策がより詳細に説明されることになる。
【図面の簡単な説明】
【００１８】
【図１】ＬＴＥダウンリンク物理リソースの一例を示す図である。
【図２】ＬＴＥ時間領域（フレーム）構造の一例を示す図である。
【図３】下位層制御シグナリング、特に、ダウンリンク制御情報（ｄｏｗｎｌｉｎｋ  ｃｏｎｔｒｏｌ  ｉｎｆｏｒｍａｔｉｏｎ、ＤＣＩ）メッセージのための３つのＯＦＤＭシンボルを有するＬＴＥダウンリンクサブフレームを示す図である。
【図４】異なる数のアンテナポートのためのＣＳＩ−ＲＳリソースの設定を示す図である。２つの連続的なリソースエレメント（Ｒｅｓｏｕｒｃｅ  Ｅｌｅｍｅｎｔ、ＲＥ）の内部の番号付けは設定のインデックスのためのものである。
【図５】本発明の一実施形態のためのシーケンス図を示す。
【図６】無線デバイスがどのように並列ＣＳＩ測定を実施し得るのかについての一例を示す図である。
【図７】本明細書における諸実施形態が適用および／または実施され得る例示的な無線ネットワーク１００を示す図である。
【図８】本明細書における諸実施形態に係る無線ネットワークノード８０内で遂行される方法を示す図である。
【図９】本明細書における諸実施形態に係る無線デバイス９０内で遂行される方法を示す図である。
【図１０】本明細書における例示的な諸実施形態に係る、無線ネットワークノード８０を示すブロック図である。
【図１１】本明細書における例示的な諸実施形態に係る、無線デバイス９０を示すブロック図である。
【発明を実施するための形態】
【００１９】
添付の図面を参照した以下の説明は、請求項およびこれらの均等物によって規定されるとおりの本発明の例示的な諸実施形態の包括的理解を補助するために提供される。説明はその理解を補助するための様々な具体的詳細を含むが、これらは単なる例示と見なされるべきである。したがって、当業者は、本明細書に記載されている諸実施形態の様々な変更および改変が、本発明の範囲および趣旨から逸脱することなく、なされ得ることを認識するであろう。また、よく知られた機能および構造の説明は、明確且つ簡潔にするために、省かれている。したがって、本発明の例示的な諸実施形態の以下の説明は例示の目的のためにのみ提供されており、添付の請求項およびそれらの均等物によって規定されるとおりの本発明を限定する目的のために提供されるものではないことが当業者には明らかであるはずである。単数形の「ａ」、「ａｎ」、および「ｔｈｅ」は、文脈が別途明確に指示しない限り、複数の指示対象を含むことを理解されたい。それゆえ、例えば、「構成要素表面（ａ  ｃｏｍｐｏｎｅｎｔ  ｓｕｒｆａｃｅ）」への言及は、１つまたは複数のこのような表面への言及を含む。
【００２０】
本開示の目的は、無線ネットワークにおける測定制限を設定し、それにより、個々の無線デバイスのための改善されたリンク適応を可能にするために、測定制限の効率的な動的設定を可能にするための諸実施形態を提供することである。上述されたように、設定に関連付けられる多量のデータのゆえに、測定制限の低レイテンシ設定を提供するための解決策が欠如していた。
【００２１】
本明細書で使用するとき、非限定用語「無線デバイス」および「ユーザ機器、（Ｕｓｅｒ  Ｅｑｕｉｐｍｅｎｔ、ＵＥ）」は、携帯電話、セルラー電話、無線通信能力を装備するパーソナルデジタルアシスタント（Ｐｅｒｓｏｎａｌ  Ｄｉｇｉｔａｌ  Ａｓｓｉｓｔａｎｔ、ＰＤＡ）、スマートフォン、内部もしくは外部モバイルブロードバンドモデムを装備するラップトップもしくはパーソナルコンピュータ（Ｐｅｒｓｏｎａｌ  Ｃｏｍｐｕｔｅｒ、ＰＣ）、無線通信能力を有するタブレットＰＣ、ターゲットデバイス、デバイスツーデバイスＵＥ、マシンタイプＵＥ、もしくはマシンツーマシン通信の能力を有するＵＥ、ｉＰＡＤ、加入者宅内機器（ｃｕｓｔｏｍｅｒ  ｐｒｅｍｉｓｅｓ  ｅｑｕｉｐｍｅｎｔ、ＣＰＥ）、ラップトップ組み込み機器（ｌａｐｔｏｐ  ｅｍｂｅｄｄｅｄ  ｅｑｕｉｐｍｅｎｔ、ＬＥＥ）、ラップトップ装着機器（ｌａｐｔｏｐ  ｍｏｕｎｔｅｄ  ｅｑｕｉｐｍｅｎｔ、ＬＭＥ）、ＵＳＢドングル、ポータブル電子無線通信デバイス、無線通信能力を装備するセンサデバイス、または同様のものを指し得る。特に、用語「無線デバイス」は、セルラーもしくは移動体通信システム内の無線ネットワークノードと通信する任意の種類の無線デバイス、またはセルラーもしくは移動体通信システムにおける通信のための任意の関連規格に従う無線通信のための無線回路機構を装備する任意のデバイスを含む非限定用語として解釈されるべきである。無線デバイス９０はＵＥの一実装形態であり得ることが言及されるべきである。
【００２２】
本明細書で使用するとき、非限定用語「無線ネットワークノード」は、基地局、ネットワークコントローラ、無線ネットワークコントローラ、基地局コントローラ、および同様のものなどのネットワーク制御ノードを指し得る。特に、用語「基地局」は、ノードＢ、またはＬＴＥのための、高度化ノードＢ、ｅＮｏｄｅＢ（ｅＮＢ）、あるいはＮＲのためのｇＮｏｄｅ  Ｂなどの標準基地局を含む異なる種類の無線基地局を包含し得る。無線ネットワークノード８０は、本説明に係るｅＮＢの一実装形態であり得ることが言及されるべきである。
【００２３】
本開示において、非限定用語「無線ネットワーク」は任意の無線通信ネットワーク、特に、ＷＣＤＭＡのためのＵＴＲＡ、またはＬＴＥのためのｅＵＴＲＡ、またはＮＲのためのｇＵＴＲＡを指し得るが、ＮＲおよび／またはＷｉＦｉおよび／またはＷｉＭａｘなどの任意の他の無線通信システムも予期することができる。
【００２４】
図７は、本明細書において開示される諸実施形態が実施され得る無線ネットワーク１００を示す。無線ネットワーク１００は、１つまたは複数の無線デバイス９０、無線ネットワークノード８０、ネットワークノード１２０を含む。無線ネットワークはコアネットワークノード１３０に接続され得る。無線デバイス９０は無線インターフェースを通じて無線ネットワークノード８０と通信し得る。例えば、無線デバイス９０は無線ネットワークノード８０へ無線信号を送信し、および／または無線ネットワークノード８０から無線信号を受信し得る。無線信号は、音声トラフィック、データトラフィック、制御信号、および／または任意の他の好適な情報を含み得る。無線信号は無線リンク７０を通じて送信され得る。
【００２５】
無線ネットワークノード８０は、例えば、無線アクセスネットワーク１１０内の無線ネットワークコントローラ１２０などの、ネットワークノード１２０とインターフェースを取り得る。無線ネットワークコントローラ１２０は無線ネットワークノード８０を制御し得、特定の無線リソース管理機能、移動管理機能、および／またはその他の好適な機能を提供し得る。無線ネットワークコントローラ１２０はコアネットワークノード１３０とインターフェースを取り得る。特定のシナリオでは、無線ネットワークコントローラ１２０は相互接続ネットワークを介してコアネットワークノード１３０とインターフェースを取り得る。無線ネットワークノード８０もまたコアネットワークノード１３０とインターフェースを取り得る。特定のシナリオでは、無線ネットワークノード８０は相互接続ネットワークを介してコアネットワークノード１３０とインターフェースを取り得る。
【００２６】
いくつかのシナリオでは、コアネットワークノード１３０は、無線デバイス９０のための通信セッションの確立、および様々な他の機能性を管理し得る。無線デバイス９０は、非アクセス層（ｎｏｎ−ａｃｃｅｓｓ  ｓｔｒａｔｕｍ、ＮＡＳ）の層を用いてコアネットワークノード１３０と特定の信号を交換し得る。非アクセス層シグナリングでは、無線デバイス９０とコアネットワークノード１３０との間の信号は無線アクセスネットワークを透過的に通過させられ得る。以上において図７に関して説明されたように、ネットワーク１００の諸実施形態は、１つまたは複数の無線デバイス９０、ならびに無線デバイス９０と（直接または間接的に）通信する能力を有する１つまたは複数の異なる種類のネットワークノードを含み得る。ネットワークノードの例としては無線ネットワークノード８０が挙げられる。ネットワークはまた、無線デバイス９０の間、または無線デバイス９０と別の通信デバイス（固定電話など）との間の通信をサポートするために適した任意の追加の要素をも含み得る。
【００２７】
無線デバイス９０および無線ネットワークノード８０は、ロングタームエボリューション（ＬＴＥ）、ＬＴＥ−Ａｄｖａｎｃｅｄ、ＮＲ、ＵＭＴＳ、ＨＳＰＡ、移動通信用のグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）、ｃｄｍａ２０００、ＷｉＭａｘ、ＷｉＦｉ、別の好適な無線アクセス技術、あるいは１つまたは複数の無線アクセス技術の任意の好適な組み合わせなどの、任意の好適な無線アクセス技術を用い得る。例示の目的のために、様々な実施形態は、ＬＴＥなどの、特定の無線アクセス技術の文脈内で説明され得る。しかし、本開示の範囲はそれらの例に限定されず、他の実施形態は異なる無線アクセス技術を用いることができるであろう。無線デバイス９０、無線ネットワークノード８０、無線ネットワークコントローラ１２０、およびコアネットワークノード１３０の各々は、ハードウェアおよび／またはソフトウェアの任意の好適な組み合わせを含み得る。無線デバイス９０および無線ネットワークノード８０の特定の実施形態の例が以下において図５、図６および図８〜図１１に関して説明される。
【００２８】
以下において、測定制限がチャネル状態情報（ＣＳＩ）の測定およびＣＳＩの報告のために設定される特定の実施形態が説明されることになる。したがって、我々は、ＣＳＩ測定が何を指すのか、および特に、測定制限を有するＣＳＩ測定がどのように実施され、設定され得るのかについての短い概説を提供する。より詳細な情報は、関連する箇所において提供されることになる。
【００２９】
ＬＴＥは、ダウンリンクにおいてＯＦＤＭを用い、アップリンクにおいてＤＦＴ拡散ＯＦＤＭを用いる。それゆえ、基本ＬＴＥダウンリンク物理リソースは、図１に示されるとおりの時間−周波数グリッドとして見ることができる。ここで、各リソースエレメント（ＲＥ）は１つのＯＦＤＭシンボル間隔の間の１つのＯＦＤＭサブキャリアに対応する。
【００３０】
時間領域内において、ＬＴＥダウンリンク送信は１０ｍｓの無線フレームに編成され、各無線フレームは、図２に示されるように、長さＴｓｕｂｆｒａｍｅ＝１ｍｓの１０個の等しいサイズのサブフレームからなる。サブフレームは２つの等しい部分に分割されてもよく、各々の等しい部分はスロットと呼ばれる。標準のサイクリックプレフィックスのために、１つのサブフレームは１４個のＯＦＤＭシンボルからなる。各ＯＦＤＭシンボルの継続期間はおよそ７１．４μｓである。
【００３１】
さらに、ＬＴＥにおけるリソース割り当ては通例、リソースブロック（ＲＢ）に関して記述される。ここで、リソースブロックは、時間領域における１つのスロット（０．５ｍｓ）、および周波数領域における１２個の連続したサブキャリアに対応する。時間方向における２つの隣接したリソースブロックの対（１．０ｍｓ）はリソースブロックペアとして知られる。リソースブロックは周波数領域において番号付けされ、システム帯域幅の一方の端部から０をもって開始する。
【００３２】
ダウンリンク送信は動的にスケジュールされる。すなわち、各サブフレーム内で、基地局は、現在のダウンリンクサブフレーム内において、どの端末にデータが送信されるのか、およびどのリソースブロック内でデータが送信されるのかについての制御情報を送信する。この制御シグナリング（ＰＤＣＣＨ）は通例、各サブフレーム内の最初の１つ、２つ、３つまたは４つのＯＦＤＭシンボル内で送信され、数ｎ＝１、２、３または４は制御フォーマットインジケータ（Ｃｏｎｔｒｏｌ  Ｆｏｒｍａｔ  Ｉｎｄｉｃａｔｏｒ、ＣＦＩ）として知られる。ダウンリンクサブフレームはまた、受信器に知られており、例えば、制御情報のコヒーレント復調のために用いられる共通参照シンボルを包含する。図３に、ＣＦＩ＝３のＯＦＤＭシンボルを制御として有するダウンリンクシステムが示されている。
【００３３】
上述されたリソース割り振りは、拡張型物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）上、および／または物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）上でスケジュールされ得る。上図３に示される参照シンボルは、例えば、特定の送信モードのための細かい時間および周波数同期ならびにチャネル推定を含む、複数の機能をサポートするために用いられ得る、セル固有参照シンボル（ｃｅｌｌ  ｓｐｅｃｉｆｉｃ  ｒｅｆｅｒｅｎｃｅ  ｓｙｍｂｏｌ、ＣＲＳ）である。ＵＥは、送信モードを用いて、ＵＥが、物理ダウンリンク共有チャネル（Ｄｏｗｎｌｉｎｋ  Ｓｈａｒｅｄ  Ｃｈａｎｎｅｌ、ＰＤＳＣＨ）上で受信されるデータ送信をどのように処理するかを決めることを助けるように設定され得る。ＵＥは、例えば、ＲＲＣシグナリングを介して、どの送信モードを用いるべきであるのかを知らされ得る。ＤＬでは、いくつかの異なる送信モードが存在する。送信モードは、例えば、用いられる層（ストリーム、もしくはランク）および／またはアンテナポートの数、ならびに／あるいは例えば、セル固有参照信号（ＣＲＳ）もしくは復調用参照信号（Ｄｅｍｏｄｕｌａｔｉｏｎ  Ｒｅｆｅｒｅｎｃｅ  Ｓｉｇｎａｌ、ＤＭ−ＲＳ）もしくはＣＳＩ−ＲＳなどの参照信号の種類、およびプリコーディング方式が異なり得る。
【００３４】
セルラー通信システムでは、どのような送信パラメータを用いるべきであるかを知るために、チャネル条件、特に、無線チャネル条件を測定する必要がある。これらの送信パラメータは、例えば、変調方式、符号化速度、送信ランク、および周波数割り当てを含み得る。これはアップリンク（ｕｐｌｉｎｋ、ＵＬ）送信にもダウンリンク（ｄｏｗｎｌｉｎｋ、ＤＬ）送信にも当てはまる。
【００３５】
送信パラメータに関する決定を行うスケジューラは、通例、基地局（ｅＮＢ）内に配置されている。それゆえ、スケジューラは、端末（ＵＥ）が送信する既知の参照信号を用いて、ＵＬのチャネル特性に関する情報を直接得ることができる。次に、これらの測定は、ｅＮＢが行うＵＬスケジューリング決定のための基礎を形成し、次に、ＵＬスケジューリング決定は、ダウンリンク制御チャネルを介して、例えば、ＰＤＣＣＨを介して、および／またはｅＰＤＣＣＨを介して、ＵＥへ送られる。
【００３６】
ＣＳＩフィードバック
ＬＴＥのいくつかのリリースでは、ＣＳＩ推定およびフィードバックのため、ならびに復調のためのチャネル推定のために、ＤＬにおいてセル固有参照信号（ＣＲＳ）が用いられ得る。ＣＲＳはあらゆるサブフレームにおいて送信され、最大４つのアンテナポート（ａｎｔｅｎｎａ  ｐｏｒｔ、ＡＰ）をサポートするように規定されている。ＬＴＥの他のリリースでは、最大８つのＡＰをサポートするために、ＵＥが複数のＡＰを用いてＣＳＩを測定し、フィードバックするために規定されたＣＳＩ参照信号（ＣＳＩ−ＲＳ）が存在する。各ＣＳＩ−ＲＳリソースは、２つの連続的なＯＦＤＭシンボルにわたる２つのリソースエレメント（ＲＥ）からなる。具体的には、ＬＴＥでは、基本的な２ポートＣＳＩ−ＲＳリソースは、２つの連続的なＯＦＤＭシンボルにわたる２つのリソースエレメント（ＲＥ）からなる。（２つの異なるＡＰのための）２つの異なるＣＳＩ−ＲＳは、符号分割多重（ｃｏｄｅ  ｄｉｖｉｓｉｏｎ  ｍｕｌｔｉｐｌｅｘｉｎｇ、ＣＤＭ）によって同じＣＳＩ−ＲＳリソース（２つのＲＥ）を共有することができる。また、ＣＳＩ−ＲＳは、５ｍｓ、１０ｍｓ、２０ｍｓ、４０ｍｓまたは８０ｍｓごとに一度送信することができ、これがＣＳＩ−ＲＳの周期性を決める。したがって、ＣＳＩ−ＲＳは、ＣＲＳと比べたときに、より低いオーバヘッドおよびより低いデューティサイクルを有する。他方で、ＣＳＩ−ＲＳは復調用参照として用いられず、その一方で、ＣＲＳはそのように用いられる。異なるＣＳＩ−ＲＳは、サブフレーム内で異なるオフセットをもって送信され得る。このオフセットはＣＳＩ−ＲＳサブフレームオフセットと呼ばれる。ＣＳＩ−ＲＳリソースが設定されると、ＵＥは、各々の設定されたＣＳＩ−ＲＳリソースにおける所与のアンテナポートのためにチャネルを測定し、ＣＳＩ−ＲＳリソースの時機の間のチャネルを補間し、動的に変化するチャネルを得ることができる。例えば、ＵＥは、例えば５ｍｓの設定されたＣＳＩ−ＲＳ周期性の代わりに、１ｍｓごとにチャネルを補間し、測定し、および／または推定し、および／または算出し得る。
【００３７】
図４は、異なるＣＳＩ−ＲＳリソース設定からＲＢペア内のＲＥへのマッピングの２つの例を示す。図４の左手の部分は１つまたは２つのＡＰのためのマッピングであり、この場合には、２０個のＣＳＩ−ＲＳリソース設定が可能である。サービングセルの２つのＡＰの２つのＣＳＩ−ＲＳ、例えば、２ポートＣＳＩ−ＲＳは、例えば、ＣＳＩ−ＲＳリソース設定０によって、上述されたとおりのＣＤＭを用いることによって送信することができ、その一方で、他の隣り合うセルのＡＰのＣＳＩ−ＲＳは、サービングセル内のＣＳＩ−ＲＳとのＣＳＩ−ＲＳ衝突を回避するために、１＜＝ｊ＜＝１９とする、設定ｊによって決められたＣＳＩ−ＲＳリソース上で送信することができる。図４の右手の部分は４つのＡＰのためのマッピングであり、この場合には、１０個の設定が可能である。サービングセルの４つのＡＰの４つのＣＳＩ−ＲＳは、例えば、設定０によって決められたＣＳＩ−ＲＳリソース上で、ＣＤＭによって送信することができ、その一方で、他の隣り合うセルのＡＰのＣＳＩ−ＲＳは、サービングセル内のＣＳＩ−ＲＳとのＣＳＩ−ＲＳ衝突を回避するために、１＜＝ｊ＜＝９とする、設定ｊによって決められたＣＳＩ−ＲＳリソース上で送信することができる。
【００３８】
１つのＣＳＩ−ＲＳのための２つの連続的なＲＥによって用いられるＯＦＤＭシンボルは、指定された疑似ランダム系列から導出された、ＱＰＳＫシンボルである。干渉をランダム化するために、疑似ランダム系列発生器の初期状態は、検出されたセルＩＤ、またはｅＮＢからの無線リソース制御（ｒａｄｉｏ  ｒｅｓｏｕｒｃｅ  ｃｏｎｔｒｏｌ、ＲＲＣ）シグナリングによってＵＥに設定された仮想セルＩＤによって決められてもよい。非ゼロ電力ＯＦＤＭシンボルを有するＣＳＩ−ＲＳは非ゼロ電力ＣＳＩ−ＲＳ（ｎｏｎ−ｚｅｒｏ−ｐｏｗｅｒ  ＣＳＩ−ＲＳ、ＮＺＰ  ＣＳＩ−ＲＳ）と呼ばれる。
【００３９】
他方で、ゼロ電力（ＺＰ）ＣＳＩ−ＲＳも、干渉測定（ＩＭ）の目的のため、または他のセルにおけるＣＳＩ推定を改善する目的のために、ＵＥにＲＲＣ設定することができる。しかし、４つのＡＰを有するＣＳＩ−ＲＳマッピングはＺＰ  ＣＳＩ−ＲＳによって用いられる可能性が高いであろう。
【００４０】
例えば、図４において、ＮＺＰ  ＣＳＩ−ＲＳを有するＣＳＩ−ＲＳリソース設定０が、セルＡによって、セルＡ内の２つのＡＰのＣＳＩを推定するために用いられる場合には、ＺＰ  ＣＳＩ−ＲＳ（合計４つのＲＥ）を有するＣＳＩ−ＲＳリソース設定０が、隣り合うセルＢによって、ＣＳＩ−ＲＳリソース設定０内の２つのＲＥを通じたセルＡへのＤＬ干渉を最小限に抑えるために用いられ得、それにより、セルＡ内の２つのＡＰのＣＳＩ推定が改善され得る。
【００４１】
ＬＴＥでは、送信モード１０（ｔｒａｎｓｍｉｓｓｉｏｎ  ｍｏｄｅ  １０、ＴＭ１０）のために、最大４つのＣＳＩプロセスがＲＲＣシグナリングによってＵＥのために設定され得る。これらの４つのＣＳＩプロセスは、協調マルチポイント（ｃｏｏｒｄｉｎａｔｅｄ  ｍｕｌｔｉ−ｐｏｉｎｔ、ＣｏＭＰ）フレームワーク内の最大４つの異なるセル（または同じセル内の送信ポイント（ｔｒａｎｓｍｉｓｓｉｏｎ  ｐｏｉｎｔ、ＴＰ））内のＡＰのためのＣＳＩを獲得するために用いられ得る。これらの４つのＣＳＩプロセスはまた、方位、高度、またはその両方（２Ｄビームフォーミング）におけるビームフォーミングの能力を有するアレイアンテナを用いて同じｅＮＢから送信される複数の異なるビームに割り振られ得る。ＣＳＩプロセスおよびＣＳＩ−ＲＳ設定がどのように準備されるのかに関する完全なＬＴＥ仕様については、［１］、［２］、および［３］を参照されたい。
【００４２】
ＵＥが正しいＣＳＩを導出するために、ＴＭ１０内の各ＣＳＩプロセスは信号仮説および干渉仮説に関連付けられる。信号仮説は、どのＮＺＰ  ＣＳＩ−ＲＳが所望の信号を反映するのかを記述する。他方で、干渉は、設定されたＣＳＩ−ＩＭリソース内で測定され、このＣＳＩ−ＩＭリソースは、ＵＥが干渉測定のために用いるべき、ＰＲＢペア当たり４つのＲＥを有するＣＳＩ−ＲＳと類似した、特に、リソースブロックペア当たり４つのＲＥを有するゼロ電力ＣＳＩ−ＲＳと類似したものである。ＣｏＭＰにおける干渉測定（ＩＭ）をより良くサポートするために、ＣＳＩ−ＩＭは標準化され、ＺＰ  ＣＳＩ−ＲＳに基づく。したがって、最大４つのＣＳＩプロセスの各々は１つのＮＺＰ  ＣＳＩ−ＲＳおよび１つのＣＳＩ−ＩＭからなる。
【００４３】
送信モード９のＵＥについては、単一のＣＳＩプロセスのみを設定することができ、ＣＳＩ−ＩＭは規定されない。それゆえ、干渉測定はＴＭ９において指定されない。しかし、それでもなお、２つの異なるサブフレーム（ｓｕｂｆｒａｍｅ、ＳＦ）セット：ＳＦセット１およびＳＦセット２からＣＳＩフィードバックを得る可能性がある。例えば、別のｅＮＢから、例として、Ｘ２を通じてシグナリングされた、例として、電力低減サブフレーム（Ｒｅｄｕｃｅｄ  Ｐｏｗｅｒ  Ｓｕｂｆｒａｍｅ、ＲＰＳＦ）情報に基づいて、ピコｅＮＢは、ＵＥを、両方の保護されたサブフレーム（例えば、マクロセルが活動を低減させた、ＲＰＳＦサブフレーム）のためのＣＳＩ、および保護されていないサブフレームのためのＣＳＩを２つの異なるＣＳＩ報告内でフィードバックするように設定し得る。これは、例えば、ピコｅＮＢが、サブフレームが、保護されたサブフレームであるか否かに応じて、２つの種類のサブフレーム内でリンク適応を異なって遂行することを可能にする。ＴＭ１０で設定されたＵＥが両方のサブフレームセットおよび複数のＣＳＩプロセスを用いることも可能である。
【００４４】
ＬＴＥでは、ＣＳＩ報告のフォーマットは、ＣＱＩ（Ｃｈａｎｎｅｌ−Ｑｕａｌｉｔｙ  Ｉｎｆｏｒｍａｔｉｏｎ、チャネル品質情報）、ランクインジケータ（Ｒａｎｋ  Ｉｎｄｉｃａｔｏｒ、ＲＩ）、およびプリコーディング行列インジケータを含み得る。［４］を参照されたい。報告は広帯域のものであるか、またはサブバンドに適用可能であることができる。報告は、無線リソース制御（ＲＲＣ）メッセージによって、周期的に、または非周期的な仕方で送られるように設定され得る。非周期的ＣＳＩ報告はｅＮＢからＵＥへの制御メッセージによってトリガされ得る。ＣＳＩ報告の正確さおよび信頼性は、ｅＮＢが、来たるべきＤＬ送信のために考えられる最良のスケジューリング決定を行うために、重要である。
【００４５】
ＬＴＥ規格は、ＵＥが、複数の時刻、例えば、サブフレームからのＣＳＩ−ＲＳおよびＣＳＩ−ＩＭ測定をどのように取得し、平均するべきであるのかを指定していない。例えば、ＵＥは、ｅＮＢに知られていない時間フレームにわたって測定を行い、ＵＥ独自の仕方でいくつかの測定を組み合わせ、ＣＳＩ値を生成し得、ＣＳＩ値は、周期的に、またはトリガされて報告される。
【００４６】
ＬＴＥの文脈では、ＣＳＩ−ＲＳが送信され得るＣＳＩ−ＲＳリソース（図１および図４に関して以上において規定されたとおりの特定のＲＥ）が存在する。加えて、「ＣＳＩ−ＩＭリソース」も存在する。ここで、ＩＭは「Ｉｎｔｅｒｆｅｒｅｎｃｅ  Ｍｅａｓｕｒｅｍｅｎｔ（干渉測定）」を表す。後者は、ＣＳＩ−ＲＳリソースと同じ、時間／周波数グリッド内の可能な物理的な場所のセットから規定されるが、ＣＳＩ−ＲＳはサービングセル内においてゼロ電力を用いて送信される。換言すれば、ＣＳＩ−ＩＭリソース上では「サイレント」ＣＳＩ−ＲＳが送信される。ｅＮＢが共有データチャネル（ＰＤＳＣＨ）上で送信する際には、ｅＮＢは、ＣＳＩ−ＩＭのために設定されたリソースエレメントへのデータのマッピングを回避すべきである。これらは、ＵＥのサービングノードとは別の送信器からの任意の干渉の電力を測定する可能性をＵＥに与えることが意図されている。
【００４７】
各ＵＥは、１つ、３つまたは４つの異なるＣＳＩプロセスを用いて設定することができる。各ＣＳＩプロセスは、１つのＣＳＩ−ＲＳリソースおよび１つのＣＳＩ−ＩＭリソースに関連付けられる。ここで、これらのＣＳＩ−ＲＳリソースは、ＲＲＣシグナリングによってＵＥに設定されており、それゆえ、Ｔの周期性をもって、且つ上述されたとおりのフレームの開始に対する所与のサブフレームオフセットをもって、周期的に送信される／生じる。
【００４８】
１つのＣＳＩプロセスのみが用いられる場合には、このとき、ＣＳＩ−ＩＭに全ての他のｅＮＢからの干渉を反映させることが一般的である。すなわち、サービングセルは、ＣＳＩ−ＩＭと重複するＺＰ  ＣＳＩ−ＲＳを用いるが、他の隣接ｅＮＢ内においては、これらのリソース上にＺＰ  ＣＳＩ−ＲＳは存在しない。このように、ＵＥは、ＣＳＩ−ＩＭリソース上で測定を行う際に、隣接セルからの干渉を測定することになる。
【００４９】
追加のＣＳＩプロセスがＵＥに設定される場合には、このとき、ネットワークが、サービングｅＮＢにおけるＵＥのためのこのＣＳＩプロセスのためのＣＳＩ−ＩＭリソースと重複する、隣接ｅＮＢ内のＺＰ  ＣＳＩ−ＲＳも設定する可能性がある。このように、ＵＥは、隣接セルが送信中でない場合にも、正確なＣＳＩをフィードバックし得る。それゆえ、複数のＣＳＩプロセスの使用によってｅＮＢ間の協調スケジューリングが可能にされ、１つのＣＳＩプロセスは完全な干渉の場合のＣＳＩをフィードバックし、他のＣＳＩプロセスは、（強く干渉する）隣接セルがミュートされた場合のＣＳＩをフィードバックする。上述されたように、最大４つのＣＳＩプロセスをＵＥに設定することができ、それにより、４つの異なる送信仮説のフィードバックを可能にする。
【００５０】
物理ダウンリンク制御チャネル（ＰＤＣＣＨ）および拡張型ＰＤＣＣＨ（ＥＰＤＣＣＨ）
ＰＤＣＣＨ／ＥＰＤＣＣＨは、スケジューリング決定および電力制御コマンドなどのダウンリンク制御情報（ＤＣＩ）を搬送するために用いられる。より具体的には、ＤＣＩは以下のものを含み得る：
・  ＰＤＳＣＨリソース指示、移送フォーマット、ハイブリッドＡＲＱ情報、および空間多重化（適用可能な場合）に関する制御情報を含む、ダウンリンクスケジューリング割り振り。ダウンリンクスケジューリング割り振りはまた、ダウンリンクスケジューリング割り振りに応じたハイブリッドＡＲＱ肯定応答の送信のために用いられるＰＵＣＣＨの電力制御のためのコマンドも含み得る。
・  ＰＵＳＣＨリソース指示、移送フォーマット、およびハイブリッドＡＲＱ関連情報を含む、アップリンクスケジューリンググラント。アップリンクスケジューリンググラントはまた、ＰＵＳＣＨの電力制御のためのコマンドも含み得る。
・  スケジューリング割り振り／グラント内に含まれるコマンドへの補完としての端末のセットのための電力制御コマンド。
【００５１】
１つのＰＤＣＣＨ／ＥＰＤＣＣＨは、上述の説明に係る情報を含み得る１つのＤＣＩメッセージを搬送し得る。複数の端末が同時にスケジュール可能であるため、ダウンリンクおよびアップリンクの両方の上で、各サブフレーム内で複数のスケジューリングメッセージを送信する可能性がある。各スケジューリングメッセージは別個のＰＤＣＣＨ／ＥＰＤＣＣＨリソース上で送信され、その結果、通例、複数の同時のＰＤＣＣＨ／ＥＰＤＣＣＨ送信が各セルにおいて存在し得る。さらに、異なる無線チャネル条件をサポートするために、リンク適応を用いて、ＰＤＣＣＨ／ＥＰＤＣＣＨの符号レートを無線チャネル条件に合うように適応させることができる。符号レートを適応させると、ＰＤＣＣＨ／ＥＰＤＣＣＨのためのリソース使用も影響を受ける。
【００５２】
ＵＬスケジューリングＤＣＩ
ＤＣＩフォーマット０およびＤＣＩフォーマット４は１または２ビットのＣＳＩ要求フィールドを包含する［４］。２ビットフィールドは、１つを超えるＤＬセルを用いて設定されるＵＥ、および／または上位層によって、１つを超えるＣＳＩプロセスを用いて設定されるＵＥ、および／または２つのＣＳＩ測定セットを用いて設定されるＵＥに適用される。さもなければ、１ビットフィールドが適用される。この場合には、ビットは、非周期的ＣＳＩ報告が要求されるか否かを指示する。２ビットの場合には、非周期的ＣＳＩトリガビットは、［１］のセクション７．２．１に記載されているように、異なる解釈を有することができる。
【００５３】
例えば、下表は、ＣＳＩ要求フィールドサイズが２ビットであり、ＵＥが少なくとも１つのサービングセルのために送信モード１０で設定されており、ＵＥがいずれのサービングセルのためにもｃｓｉ−ＳｕｂｆｒａｍｅＰａｔｔｅｒｎＣｏｎｆｉｇ−ｒ１２を用いて設定されていない場合における解釈を示す。この例示的なシナリオの場合、非周期的ＣＳＩ報告は、上位層（例えば、ＲＲＣシグナリング）による設定に従い、複数のセルにわたる異なるＣＳＩプロセスのためにトリガされるか（ＣＳＩ要求フィールド値＝‘１０’もしくは‘１１’）、またはサービングセルのためのＣＳＩプロセスのセットのためにトリガされ得る（ＣＳＩ要求フィールド値＝‘０１’）。
2019501561.tif 000004
【００５４】
Ｒｅｌ−１３  ＣＳＩ測定制限
ＭＲの合意された３ＧＰＰ定義は以下のとおりである：所与のＣＳＩプロセスについて、チャネル測定に対するＭＲがオンである場合には、このとき、ＣＳＩ算出のために用いられるチャネルは、ＣＳＩ参照リソースまでとこのＣＳＩ参照リソースを含むＸ個のＮＺＰ  ＣＳＩ−ＲＳサブフレーム（単数または複数）から推定することができる。Ｘは整数値であり得る。
・  チャネル測定はＮＺＰ  ＣＳＩ−ＲＳから導出される
ＣＳＩ−ＩＭ（単数または複数）を有する所与のＣＳＩプロセスについて、干渉測定に対するＭＲがオンである場合には、このとき、ＣＳＩ計算のために用いられる干渉は、ＣＳＩ参照リソースまでとこのＣＳＩ参照リソースを含むＹ個のＣＳＩ−ＩＭサブフレーム（単数または複数）から推定することができる。Ｙは整数値であり得る。
・  干渉測定はＣＳＩ−ＩＭから導出される
ＬＴＥ  Ｒｅｌ−１３は以下の測定制限機能性を包含するべきであることが合意された。
・  ２つのサブフレームセットを有するレガシー測定制限もＣＳＩプロセス内で設定されるときには、単一のサブフレームへの測定制限（ＭＲ）がサブフレームセットごとに独立して設定可能である
・  ＮＺＰ  ＣＳＩ−ＲＳチャネル測定を単一のサブフレーム（すなわちＸ＝１）に制限するための１つのＲＲＣパラメータ、および
・  ＣＳＩ−ＩＭ干渉測定を単一のサブフレーム（すなわちＹ＝１）に制限するための１つのＲＲＣパラメータ。
【００５５】
これは、クラスＡ  ＣＳＩフィードバック（プリコーディングされていないＣＳＩ−ＲＳ）に対して、および単一の（Ｋ＝１）ビームフォーミングされたＮＺＰ  ＣＳＩ−ＲＳリソースを有するクラスＢ  ＣＳＩフィードバック（ビームフォーミングされたＣＳＩ−ＲＳ）に適用できる。Ｋ＞１を有するクラスＢについては、ＭＲがサポートされ、ＲＲＣ設定され得るかどうか、およびどのようにＭＲがサポートされ、どのようにＲＲＣ設定され得るかが依然として議論されている。
【００５６】
ＭＲは、ＣＳＩプロセスごとに、およびセルごとに設定され得る。全体で、ＵＥは、結果的に、少なくとも以下についてＭＲを用いて独立に設定され得る：
・  複数のセル（現在、５〜３２個）
・  セルごとに複数のＣＳＩプロセス（最大４つ）
・  ＣＳＩプロセスごとに２つのサブフレームセット
・  サブフレームセットごとに、ＮＺＰ  ＣＳＩ−ＲＳおよびＺＰ  ＣＳＩ−ＲＳについて
【００５７】
追加として、ＣＳＩプロセス内のＣＳＩ−ＲＳリソースの各々のための独立したＭＲを有するＣＳＩフィードバックを設定する可能性を予期することができる。現在、最大８つのＣＳＩ−ＲＳリソースがＣＳＩプロセス内でサポートされ得、このようなリソースは各々、最大８つのＣＳＩ−ＲＳアンテナポート（ＡＰ）をサポートし得る。したがって、ＵＥのためのＭＲ設定の総数は、上述の式１に関して説明されたように、極めて高くなり得る。全ての可能な設定を表現するために必要とされるビット数は、ＤＣＩメッセージおよび／または下位層シグナリング内に収めることができる数よりも多くなると予想される。したがって、上位層シグナリングが、測定制限に関連する設定情報の大部分を搬送することが期待される。
【００５８】
ＤＣＩメッセージ、特に、ＰＤＣＣＨまたはｅＰＤＣＣＨによって搬送されるダウンリンク制御情報メッセージは、本開示では例えばＲＲＣシグナリングを含み得る「上位層シグナリング」とは対照的に、本開示では、「下位層シグナリング」と考えられる。
【００５９】
下位層シグナリングと上位層シグナリングとの主な相違は、信頼性、曖昧さおよび遅延である。例えば、下位層シグナリングは再送信をサポートしない場合があり、したがって、例えば、それぞれＭＡＣ層およびＲＬＣ層においてＨＡＲＱ再送信および／またはＡＲＱ再送信を受け得る上位層シグナリングよりも信頼性が低くなり得る。上位層シグナリングのための増大した信頼性には、下位層シグナリングと比べて、増大した遅延が伴う。増大した遅延は、例えば、上位層シグナリングを用いると、下位層シグナリングと比べて、無線デバイスのための測定制限の設定および／または再設定がより長い時間を要するという結果をもたらし得る。換言すれば、下位層シグナリングを用いて無線デバイスを設定または再設定することは、上位層シグナリングを用いて無線デバイスを設定または再設定するよりも高速である。曖昧さは、無線ネットワークノードが、ＵＥが、上位層シグナリング内で指示された設定または再設定をいつ採用したのかが正確に分からないことになることに関連し、その一方で、下位層でシグナリングされたメッセージは即座に採用される。下位層シグナリングは通例、＜１００ビットのペイロード情報を搬送し得るが、その一方で、このような制約は上位層シグナリングのために全く存在しない。
【００６０】
ＭＲ設定および／または再設定の動的シグナリングを用いなければ、システムは、通信が行われる無線リンクの適応を必要とし得る無線環境内の急速な変化に適応する可能性が低い。例えば、基地局、例えばｅＮＢと、ＵＥとの間で経路損失が一時的に増大した場合には、より信頼性の高いＣＳＩ報告を得るべくＭＲを無効にするために、ＭＲのＲＲＣ再設定が必要である。これは、遅延および追加の上位層シグナリングを生じさせ、これはシグナリングオーバヘッドを消費する。また、特に、ＲＲＣシグナリングのための、上位層シグナリングの使用のゆえに、新たなＭＲ設定がＵＥにおいていつ適用されるのかについての曖昧さが存在する。
【００６１】
ＣＳＩを測定および／または報告するためのＭＲ設定は、ＭＲがそれぞれＮＺＰ  ＣＳＩ−ＲＳおよびＣＳＩ−ＩＭ／ＺＰ  ＣＳＩ−ＲＳのために有効にされるかどうかを無線デバイスに知らせ得ることに留意されたい。ＭＲを用いて設定されると、無線デバイスは、サブフレームにわたる、ＮＺＰ  ＣＳＩ−ＲＳリソースおよび／またはＣＳＩ−ＩＭ／ＺＰ  ＣＳＩ−ＲＳリソースに対する測定推定のチャネル補間を遂行することを許されないことがある。この制約は、例えば、急速に変化するチャネル条件の場合に、不正確で、且つ／または信頼できない測定を生じさせ得る。
【００６２】
上述された問題は、本明細書における例示的な諸実施形態によって対処される。無線ネットワークノード８０に関しては、無線ネットワーク無線デバイスを動作させるための方法および装置を提供する。無線デバイスは、上位層シグナリングによって、チャネル状態情報（ＣＳＩ）を測定および／または報告するための第１の測定制限（ＭＲ）設定を用いて設定される。ならびに無線デバイス９０に関しては、チャネル状態情報（ＣＳＩ）を報告するための方法および装置を提供する。無線デバイスは、上位層シグナリングによって、第１の測定制限（ＭＲ）設定に従ってＣＳＩを測定および／または報告するように設定される。チャネル状態情報（ＣＳＩ）を測定および／または報告するための測定制限（ＭＲ）設定は、無線デバイスが、例えば、補間および／または推定および／または算出および／または測定によって、どのように測定を遂行するべきであるのかを規定し、ならびに、追加として、および／または任意選択的に、また、無線デバイスが無線デバイスの測定をどのように、および／またはいつ報告するべきであるのかをも規定し得ることが言及されるべきである。
【００６３】
本解決策は添付の請求項によって規定される。
【００６４】
以下において、および本明細書における諸実施形態によれば、無線ネットワーク１００の無線ネットワークノード８０によって／無線ネットワーク１００の無線ネットワークノード８０内で遂行される、無線デバイスを無線ネットワーク内で動作させるための方法であって、無線デバイスは、上位層シグナリングによって、チャネル状態情報ＣＳＩを測定および／または報告するための第１の測定制限（ＭＲ）設定を用いて設定される、方法が提供される。換言すれば、無線ネットワークノード８０はまず、第１の上位層シグナリングを用いて、例えば、ＲＲＣシグナリングを用いて無線デバイス９０を設定し得る。ＣＳＩを測定および／または報告するための第１のＭＲ設定は、ＲＲＣのような、上位層シグナリングを用いてシグナリングされ、セルごとに、ＣＳＩプロセスごとに、サブフレームセットごとに（使用される場合）、およびＣＳＩプロセス内のＣＳＩ−ＲＳリソースごとに遂行され得る。
【００６５】
本方法が図８に示されており、以下のものを含む：下位層シグナリングを用いて、第２のＭＲ設定が、ＣＳＩを測定および／または報告するための第１のＭＲ設定を置換することを指示する第１の指示を送信する（４２）。
【００６６】
本方法は、上述されたように、無線ネットワークノード８０によって／無線ネットワークノード８０内で実施され、遂行される。次に、無線ネットワークノード８０によって遂行されるアクションが図８と併せて説明され、以下のものを含む：
アクション４２において、無線ネットワークノード８０は、下位層シグナリングを用いて、例えば、上述されたとおりのＤＣＩメッセージを用いて、第１の指示を送信するように設定されており、および／または適合されている。第１の指示は、下位層シグナリングを用いて、ＣＳＩを測定および／または報告するための第２のＭＲ設定が、ＣＳＩを測定および／または報告するための第１のＭＲ設定を置換することを指示する。例えば、ＣＳＩを測定および／または報告するための第１のＭＲ設定は、例えば、上述されたとおりのＲＲＣシグナリングのような上位層シグナリングによって無線デバイスへシグナリングされた。下位層シグナリング内の指示は、ＣＳＩを測定および／または報告するための第２のＭＲ設定が、報告するＣＳＩを測定するための第１のＭＲ設定を置換することを無線デバイスに指示する。ＣＳＩを測定および／または報告するための第２のＭＲ設定は、無線デバイスが、測定するべきＣＳＩ−ＲＳリソース  −  ＮＺＰ  ＣＳＩ−ＲＳリソースおよびＺＰ  ＣＳＩ−ＲＳリソース（ＣＳＩ−ＩＭリソースとしても知られる）の両方  −  をより多く有するために、無線デバイス９０のための測定制限を緩和し得る。例えば、無線デバイスは、ＣＳＩ−ＲＳリソース（例えば、ＮＺＰ  ＣＳＩ−ＲＳリソースおよび／またはＣＳＩ−ＩＭ／ＺＰ  ＣＳＩ−ＲＳリソース）にわたる、ならびに／あるいはサブフレームにわたる推定のチャネル補間および／または測定平均化を用い得る。
【００６７】
無線ネットワークノード８０が第１の指示を送信するためのトリガは、無線ネットワークノード８０が、チャネル条件が変化したこと、例えば、無線デバイス９０からのアップリンク送信上の無線品質および／または受信信号強度が低下したことを検出したことであり得る。例えば、無線ネットワークノード８０は、無線デバイス９０からのアップリンク送信のためのブロック誤り率（ｂｌｏｃｋ  ｅｒｒｏｒ  ｒａｔｅ、ＢＬＥＲ）が、望ましいものよりも高い、例えば、設定可能な値または所定の値よりも高いと判定する。無線ネットワークノードが指示を送信するための別のトリガは、無線デバイスと無線ネットワークノードとの間の経路損失が変化したこと、例えば、経路損失が、測定の間で設定可能な値または所定の値よりも変化したことであり得る。これは、無線デバイスからのＣＳＩ報告が、リンク適応のために用いるのに正確でない、および／または信頼できない可能性があるとの指示であり得る。信頼性を高めるために、したがって、無線ネットワークノードは、測定制限を緩和するための指示を送信し得る。
【００６８】
第１の指示は、ＣＳＩを測定および／または報告するための第２のＭＲ設定が、ＣＳＩを測定および／または報告するための第１のＭＲ設定を置換するかどうかを指示するための、例えば、アップリンクスケジューリングＤＣＩメッセージ内の、１つの追加のビットによって実装され得る。
【００６９】
代替例として、第１の指示は、１つまたは複数の状態が、ＣＳＩを測定および／または報告するための第２のＭＲ設定が、ＣＳＩを測定および／または報告するための第１のＭＲ設定を置換することを指示するように既存のアップリンクスケジューリングＤＣＩフォーマットのＣＳＩ要求表（［１］より、下表７．２．１−１Ｂ参照）を改変することによって実装され得る。一例は以下のように与えられる。２ビット状態「０１」は、測定制限を有しないＣＳＩ報告をトリガし、ならびに／あるいは、たとえ、ＣＳＩを測定および／または報告するための第１のＭＲ設定が、トリガされたＣＳＩプロセス群のうちのＣＳＩプロセスのために、上位層シグナリングを介して、例えば、ＲＲＣを用いて設定されても、ＣＳＩを測定および／または報告するための第２のＭＲ設定が、任意のトリガされたＣＳＩプロセスのために、ＣＳＩを測定および／または報告するための第１のＭＲ設定を置換することをトリガし得る。換言すれば、２ビット状態のうちの１つは、ＣＳＩを測定および／または報告するための第１のＭＲ設定が適用可能でなくなり得るが、ＣＳＩを測定および／または報告するための第２のＭＲ設定が第１の設定を置換し得ることを指示し得る。「１０」または「１１」のビット状態がシグナリングされた場合には、このとき、無線デバイス９０は、ＣＳＩを測定および／または報告するための第１のＭＲ設定が上位層シグナリングを介して設定されることを適用するべきである。
2019501561.tif 000005
【００７０】
ＣＳＩを測定および報告するための第１のＭＲ設定および第２のＭＲ設定は周期的ＣＳＩ報告および非周期的ＣＳＩ報告の両方のために適用可能であり得ることが言及されるべきである。
【００７１】
ＣＳＩを測定および／または報告するためのＭＲ設定は、ＣＳＩを測定することのみのための設定を指し得る。
【００７２】
一実施形態によれば、ＣＳＩを測定および／または報告するための第２のＭＲ設定は、所定の期間の間、第１のＭＲ設定を置換する。一例として、置換のための第１の指示は、非周期的ＣＳＩ報告をトリガするためのＤＣＩメッセージ内に含まれる、および。ＣＳＩを測定および／または報告するための第１のＭＲ設定を置換することは、例えば、要求された非周期的ＣＳＩ報告のため、および／または既定の数の周期的ＣＳＩ報告のためにのみ遂行されてもよい。
【００７３】
別の実施形態によれば、所定の期間は設定可能な時間の後に終了する。例えば、周期的ＣＳＩ報告の上述の既定の数は設定可能であり得る。
【００７４】
別の例示的な実施形態では、本方法は、下位層シグナリングを用いて第２の指示を送信すること（４４）であって、第２の指示は、所定の期間が終了することを指示する、送信すること（４４）をさらに含み得る。例えば、下位層シグナリングメッセージ、具体的には、ＤＣＩメッセージは、ＣＳＩを測定および／または報告するための第２のＭＲ設定が、ＣＳＩを測定および／または報告するための第１のＭＲ設定に、もはや置換されないことを指示する第２の指示を含み得る。
【００７５】
さらに別の例示的な実施形態では、ＣＳＩを測定および／または報告するための第２のＭＲ設定は前もって決められている。例えば、無線ネットワークノード８０および無線デバイス９０は、上位層、例えば、ＲＲＣによってシグナリングされるＭＲ設定と比べて、設定の所定のセットまたはデルタ設定について合意していることができる。設定の所定のセットおよび／またはデルタ設定は、より少ない測定制限を用いて無線デバイス９０を設定し得、例えば、所定の設定は全ての測定制限の半分または測定制限のうちの一部に対応し得る。換言すれば、既定のＭＲ設定に従えば、測定機会は、例えば、２倍または３倍になり得る。
【００７６】
別の実施形態では、ＣＳＩを測定および／または報告するための第２のＭＲ設定は所定のＭＲ設定のセットから選択される。例えば、所定のセットは、ＭＲ設定を有する以前の実施形態からの例であり得、ならびに／あるいはデルタＭＲ設定は、例えば、２倍、３倍または４倍の量の測定機会を表現し得る。
【００７７】
別の実施形態では、ＣＳＩを測定および／または報告するための第２のＭＲ設定は測定制限を含まない。本実施形態では、第１の指示は、ＣＳＩを測定および報告する際に、無線デバイスのために適用されるべき測定制限がないことを指示し得る。
【００７８】
別の実施形態では、本方法は、無線デバイス９０から、ＣＳＩを測定および／または報告するための第２のＭＲ設定に基づくＣＳＩ報告を受信することをさらに含む。
【００７９】
上述のことによれば、無線ネットワーク１００内で無線デバイス９０を動作させるための、無線ネットワークノード８０によって遂行される主なステップであって、無線デバイス９０は、上位層シグナリングによって、チャネル状態情報（ＣＳＩ）を測定および／または報告するための第１の測定制限（ＭＲ）設定を用いて設定される、ステップは、以下のように要約することができ、図８に示されている：
−  ＣＳＩを測定および／または報告するための第２のＭＲ設定が、ＣＳＩを測定および／または報告するための第１のＭＲ設定を置換することを指示する第１の指示を、下位層シグナリングを用いて送信する（４２）。
【００８０】
以上において開示されたように、本方法を実施することによって達成されるいくつかの利点がある。例えば：
−  ＣＳＩを測定および報告するための測定制限の効率的な動的設定を可能にすること
−  無線デバイスのための改善されたリンク適応を可能にすること
−  個々の無線デバイスのための測定制限とリンク適応との間のトレードオフを最適化すること
−  ＣＳＩを測定および報告するためのＭＲの動的設定のシグナリングオーバヘッドを低減すること。
−  ＣＳＩを測定および報告するためのＭＲの動的設定は、ＵＥがいくつかのＣＳＩ−ＲＳリソースにわたる測定平均化を用いることを一時的に可能にするために、ＭＲを無効にする利点を有すること。
【００８１】
本明細書における諸実施形態によれば、無線デバイスを無線ネットワーク（１００）内で動作させるための無線ネットワークノード８０であって、この無線ネットワークノード（８０）は処理回路機構とメモリとを備え、前記メモリは前記処理回路機構によって実行可能な命令を含み、それにより、前記無線ネットワークノード（８０）は、ＣＳＩを測定および／または報告するための第２のＭＲ設定が、ＣＳＩを測定および／または報告するための第１のＭＲ設定を置換することを指示する第１の指示を、下位層シグナリングを用いて送信するように適合されており、および／または設定されており、および／または動作可能である、無線ネットワークノード８０がさらに提供される。
【００８２】
対応する方法の実施形態の特徴に関する詳細は以上においてすでに提供されており、そのため、このような詳細を繰り返すことは不要と考えられる。これは、以下において開示されることになる無線ネットワークノード８０に関連する全ての実施形態に当てはまる。
【００８３】
例示的な実施形態では、ＣＳＩを測定および／または報告するための第２のＭＲ設定が、所定の期間の間、ＣＳＩを測定および／または報告するための第１のＭＲ設定を置換する、無線ネットワークノード８０が開示される。
【００８４】
別の実施形態では、所定の期間が、設定可能な時間の後に終了する、無線ネットワークノード８０が開示される。
【００８５】
一実施形態では、無線ネットワークノード（８０）が、下位層シグナリングを用いて第２の指示を送信するようにさらに適合されており、および／または設定されており、第２の指示は、所定の期間が終了することを指示する、無線ネットワークノード８０が開示される。
【００８６】
さらに別の実施形態では、ＣＳＩを測定および／または報告するための第２のＭＲ設定が前もって決められている、無線ネットワークノード８０が開示される。
【００８７】
別の実施形態では、ＣＳＩを測定および／または報告するための第２のＭＲ設定が所定のＭＲ設定のセットから選択される、無線ネットワークノード８０が開示される。
【００８８】
一実施形態では、ＣＳＩを測定および／または報告するための第２のＭＲ設定が測定制限を含まない、無線ネットワークノード８０が開示される。
【００８９】
一実施形態では、無線デバイス９０から、ＣＳＩを測定および／または報告するための第２のＭＲ設定に基づくＣＳＩ報告を受信するようにさらに適合されており、および／または設定されている、無線ネットワークノード８０が開示される。
【００９０】
本明細書における諸実施形態によれば、以上において開示されたように、プロセッサとメモリとを備える無線ネットワークノード８０であって、メモリはプロセッサによって実行可能な命令を含み、それにより、無線ネットワークノード８０は、無線デバイス９０を無線ネットワーク１００内で動作させるための主なステップを遂行するように動作可能であり、および／または適合されており、および／または設定されている、無線ネットワークノード８０がさらに提供され、以下のように要約することができ、図８に示される：
−  ＣＳＩを測定および／または報告するための第２のＭＲ設定が、ＣＳＩを測定および／または報告するための第１のＭＲ設定を置換することを指示する第１の指示を、下位層シグナリングを用いて送信する。
【００９１】
以上において開示されたように、無線ネットワークノード８０によって／無線ネットワークノード８０内で遂行される方法に関して以前に開示されたのと同じ利点がこれによって同様に達成される。
【００９２】
以下において、および本明細書における諸実施形態によれば、無線デバイス（９０）によって／無線デバイス（９０）内においてチャネル状態情報（ＣＳＩ）を報告するための方法であって、無線デバイス９０は、上位層シグナリングによって、第１の測定制限（ＭＲ）設定に従ってＣＳＩを測定および／または報告するように設定されている、方法が提供される。本方法は図９に示されており、下位層シグナリングによって、無線ネットワークノード８０から、ＣＳＩを測定および／または報告するための第２のＭＲ設定が、ＣＳＩを測定および／または報告するための第１のＭＲ設定を置換することを指示する第１の指示を受信すること（５２）を含む。
【００９３】
本方法は、上述されたように、無線デバイス９０によって／無線デバイス９０内で実施され、遂行される。次に、無線デバイス９０によって遂行されるアクションが図９と併せて説明され、以下のものを含む：
アクション５２において、無線デバイス９０は、無線ネットワークノード８０から、下位層シグナリングによって、例えば、上述されたとおりのＤＣＩメッセージ内で、ＣＳＩを測定および／または報告するための第２のＭＲ設定が、ＣＳＩを測定および／または報告するための第１のＭＲ設定を置換することを指示する第１の指示を受信するように設定されており、および／または適合されている。ＣＳＩを測定および／または報告するための第２のＭＲ設定は、無線デバイスが、測定するべきＣＳＩ−ＲＳリソース  −  ＮＺＰ  ＣＳＩ−ＲＳリソースおよびＺＰ  ＣＳＩ−ＲＳリソース（ＣＳＩ−ＩＭリソースとしても知られる）の両方  −  をより多く有するために、無線デバイス９０のための測定制限を緩和し得る。
【００９４】
１つの代替実施形態では、ＣＳＩを測定および／または報告するための第２のＭＲ設定は測定制限を含まず、ＣＳＩを測定および報告するためのＭＲ設定のオーバーライドと見なされ得る。本実施形態は図５に関して説明されることになる。
【００９５】
代替実施形態を説明する、図５におけるシーケンス図において、無線ネットワークノード８０はまず、上位層シグナリング、例えばＲＲＣを用いて、ＣＳＩを測定および／または報告するための第１のＭＲ設定を用いて無線デバイス９０を設定する。ＣＳＩを測定および／または報告するためのＭＲ設定は、それぞれ、ＮＺＰ  ＣＳＩ−ＲＳリソースおよびＣＳＩ−ＩＭ／ＺＰ  ＣＳＩ−ＲＳリソース上で測定するための制限が存在するかどうかを指示し得る。ＣＳＩを測定および／または報告するためのＭＲ設定は、例えば、ＮＺＰ  ＣＳＩ−ＲＳおよび／またはＣＳＩ−ＩＭリソースの系列内の、サブフレームにわたる、ＣＳＩ−ＲＳリソースおよび／またはＣＳＩ−ＩＭリソース上で測定する際に取得されたチャネル測定および／またはチャネル推定のチャネル補間を遂行するための制限を課し得る。ＲＲＣ設定は、上述されたように、セルごとに、ＣＳＩプロセスごとに、サブフレームセット（使用される場合）ごとに、およびＣＳＩプロセス内のＣＳＩリソース（使用され、Ｒｅｌ−１３においてサポートされている場合）ごとに遂行され得る。
【００９６】
一例として、無線デバイスは、上述されたとおりのＤＣＩメッセージにおける非周期的ＣＳＩ報告のためのトリガを受信し得る。ＤＣＩメッセージが、ＣＳＩを測定および／または報告するための第２のＭＲ設定が第１のＭＲ設定を置換することを指示する第１の指示を含まない場合には、無線デバイスは第１のＭＲ設定に従って測定および／または報告することになる。図５において、これは「ＭＲが適用されたＣＳＩ報告」に対応する。しかし、ＤＣＩメッセージが、ＣＳＩを測定および／または報告するための第２のＭＲ設定が第１のＭＲ設定を置換すること、ならびに第２のＭＲ設定が測定制限を含まないことの指示を含む場合には（図５における「ＤＣＩメッセージがＭＲオーバーライドによるＣＳＩ報告をトリガする」に対応する）、無線デバイス９０は、下位層シグナリングによってシグナリングされた後者のＤＣＩメッセージを、ＣＳＩを測定および報告するためのＭＲ設定のオーバーライドと見なし得（図５における「ＣＳＩを算出する際にＭＲが適用されない」に対応する）、したがって、無線デバイスはＭＲ設定を全く考慮することなくＣＳＩ報告を送り得る（図５における「ＭＲが適用されないＣＳＩ報告」に対応する）。第１の指示は、下位層シグナリング内で、例えば、ＤＣＩメッセージ内に含まれて無線デバイスへ伝えられ得、トリガされた非周期的ＣＳＩ報告が、ＣＳＩを測定および／または報告するための第１のＭＲ設定を用いるべきでないかどうかを指示する。換言すれば、ＣＳＩを測定および／または報告するための第１のＭＲ設定が、トリガされた非周期的ＣＳＩ報告のために無効にされるべきであり、そのために、ＲＲＣシグナリングによって第１のＭＲ設定をオーバーライドするかどうかを指示する。無線デバイス９０が、例えば、ＤＣＩメッセージ内で、第１の指示を受信しない場合には、無線デバイス９０は、ＣＳＩを測定および／または報告するためのＭＲ設定が有効にされ、上位層シグナリングによって設定されたとおり、例えば、ＲＲＣ設定されたとおりであると仮定するべきである。したがって、無線デバイス９０は、ＲＲＣ設定に係る測定制限が考慮される、算出／推定／測定に基づくＣＳＩを報告するべきである。
【００９７】
１つの例示的な実施形態では、ＣＳＩを測定および／または報告するための第２のＭＲ設定が、所定の期間の間、ＣＳＩを測定および／または報告するための第１のＭＲ設定を置換する、方法が開示される。一例として、置換するための第１の指示は、非周期的ＣＳＩ報告をトリガするためのＤＣＩメッセージ内に含まれ、ＣＳＩを測定および／または報告するための第１のＭＲ設定を置換することは、例えば、要求された非周期的ＣＳＩ報告のため、ならびに／あるいは既定の数の周期的ＣＳＩ報告および／または非周期的ＣＳＩ報告のためにのみ遂行され得る。
【００９８】
別の実施形態によれば、所定の期間は設定可能な時間の後に終了する。例えば、周期的ＣＳＩ報告および／または非周期的ＣＳＩ報告の上述の既定の数は設定可能であり得る。
【００９９】
別の例示的な実施形態では、本方法は、下位層シグナリングによって、所定の期間が終了することを指示する第２の指示を受信すること（５４）をさらに含み得る。例えば、無線デバイス９０は下位層シグナリングメッセージを受信し、具体的には、ＤＣＩメッセージは、ＣＳＩを測定および／または報告するための第２のＭＲ設定が、ＣＳＩを測定および／または報告するための第１のＭＲ設定に、もはや置換されないことを指示する第２の指示を含み得る。
【０１００】
さらに別の例示的な実施形態では、ＣＳＩを測定および／または報告するための第２のＭＲ設定は前もって決められている。例えば、無線ネットワークノード８０および無線デバイス９０は、上位層、例えば、ＲＲＣによってシグナリングされるＭＲ設定と比べて、設定の所定のセットおよび／またはデルタ設定について合意していることができる。設定の所定のセットおよび／またはデルタ設定は、より少ない測定制限を用いて無線デバイス９０を設定し得、例えば、所定の設定は全ての測定制限の半分または測定制限のうちの一部に対応し得る。換言すれば、既定のＭＲ設定に従えば、測定機会は、例えば、２倍または３倍になり得る。
【０１０１】
別の実施形態では、ＣＳＩを測定および／または報告するための第２のＭＲ設定は所定のＭＲ設定のセットから選択される。例えば、所定のセットは、ＭＲ設定を有する以前の実施形態からの例であり得、ならびに／あるいはデルタＭＲ設定は、ＣＳＩを測定および／または報告するための第１のＭＲ設定と比べて、例えば、２倍、３倍または４倍の量の測定機会を表現し得る。
【０１０２】
別の実施形態では、ＣＳＩを測定および／または報告するための第２のＭＲ設定は測定制限を含まない。本実施形態では、第１の指示は、上述されたように、ＣＳＩを測定および報告する際に、無線デバイスのために適用されるべき測定制限がないことを指示し得る。
【０１０３】
別の実施形態では、無線デバイス９０は、無線ネットワークノード８０へ送信されるＣＳＩ報告内で、ＣＳＩ報告が、ＣＳＩを測定および／または報告するための第１のＭＲ設定に関連付けられたのか、それとも第２のＭＲ設定に関連付けられたのかを指示する。
【０１０４】
別の例示的な実施形態では、本方法は、ＣＳＩを測定および／または報告するための第２のＭＲ設定に基づくＣＳＩ報告を無線ネットワークノード８０へ送信することをさらに含み得る。本実施形態では、無線デバイスは、測定に対する緩和された制限を用いてＣＳＩを測定および／または報告し得る。これは、より信頼性の高い、且つ／または正確なＣＳＩの報告を提供することになり、これが、結果として、無線ネットワークノード内のスケジューラに、性能を高めるためのより良好なリンク適応を遂行させることになる。
【０１０５】
デフォルト動作は、無線デバイス９０が、ＣＳＩを測定および／または報告するための第１のＭＲ設定に従ってＣＳＩを測定および報告することであり得ることが言及されるべきである。
【０１０６】
別の態様では、無線デバイス９０は、ＣＳＩを測定および／または報告するためのＭＲ設定のための上位層シグナリング、例えば、ＲＲＣを受信する。無線デバイス９０が、ＭＲオーバーライドを用いた非周期的ＣＳＩ報告をトリガするＤＣＩメッセージを受信すると、無線デバイス９０は２つの選択肢を有し得る：
【０１０７】
第１の選択肢によれば、ＣＳＩを測定および／または報告するための第２のＭＲ設定が、ＣＳＩを測定および／または報告するための第１のＭＲ設定を置換することを指示する第１の指示を含む、下位層シグナリング、例えば、ＤＣＩメッセージに対応するＣＳＩ報告を送った後に、無線デバイス９０は、ＣＳＩを測定および／または報告するための第１のＭＲ設定を適用することに戻る。例えば、無線デバイス９０が、ＣＳＩを測定および／または報告するための第２のＭＲ設定が、ＣＳＩを測定および／または報告するための第１のＭＲ設定を置換することを指示する第１の指示を含む別の下位層メッセージ、例えば、ＤＣＩメッセージを受信するまで、無線デバイス９０は将来のサブフレームのためにＣＳＩ−ＲＳ測定および／またはＣＳＩ−ＩＭ測定に対する平均化を全く遂行しない。
【０１０８】
第２の選択肢によれば、ＣＳＩを測定および／または報告するための第２のＭＲ設定が、ＣＳＩを測定および／または報告するための第１のＭＲ設定を置換することを指示する第１の指示を含む、下位層シグナリング、例えば、ＤＣＩメッセージに対応するＣＳＩ報告を送った後に、無線デバイス９０は、別の下位層メッセージ、例えば、ＤＣＩメッセージが、ＣＳＩを測定および／または報告するための第１のＭＲ設定が適用されるべきであることを指示する第２の指示を含むまで、ＣＳＩを測定および／または報告するための第１のＭＲ設定を適用せずに継続する。
【０１０９】
ＭＲが周期的ＣＳＩ報告および非周期的ＣＳＩ報告の両方のために有効にされる場合には、ＤＣＩメッセージを介したＭＲオーバーライドは非周期的ＣＳＩ報告にのみ適用可能であってもよく、それに対して、ＭＲは常に周期的ＣＳＩ報告のために適用されてもよい。
【０１１０】
この場合には、上述のＭＲオーバーライドをサポートするために、無線デバイス９０は、図６に示されるように、並列に動作する２つの測定回路を有することができる。一方は、ＭＲオーバーライド、例えば、ＭＲをオフとすることを適用することによってＣＳＩの測定および報告を実施するためのものであり、他方の回路は、ＭＲオーバーライドを適用せずにＣＳＩ測定を実施するためのものである。したがって、ＣＳＩを測定および／または報告するための第２のＭＲ設定が、ＣＳＩを測定および／または報告するための第１のＭＲ設定を置換することを指示する第１の指示が受信されると、ＭＲオーバーライドを用いたＣＳＩ測定のための回路が使用され、無線デバイス９０は、ＣＳＩを測定および／または報告するための第２のＭＲ設定が、ＣＳＩを測定および／または報告するための第１のＭＲ設定を置換することを指示する第１の指示が受信された場合には、任意のＣＳＩ報告内において複数のＣＳＩ−ＲＳリソースおよび／またはサブフレームにわたって取得されたＣＳＩ情報を提供し得る。
【０１１１】
上述のことによれば、チャネル状態情報（ＣＳＩ）を報告するための、無線デバイス９０によって遂行される主なステップは以下のように要約することができ、図９に示される：
−  下位層シグナリングによって、無線ネットワークノードから、ＣＳＩを測定および／または報告するための第２のＭＲ設定が、ＣＳＩを測定および／または報告するための第１のＭＲ設定を置換することを指示する第１の指示を受信する（５２）。
【０１１２】
無線デバイス９０における方法は、無線ネットワークノード８０における方法に関する、上述された方法に対する相補的なステップを遂行し得るため、無線デバイス９０における方法を実施することによって、例えば、以下のような同じ利点が達成される：
−  ＣＳＩを測定および報告するための測定制限の効率的な動的設定を可能にすること
−  無線デバイスのための改善されたリンク適応を可能にすること
−  個々の無線デバイスのための測定制限とリンク適応との間のトレードオフを最適化すること
−  ＣＳＩを測定および報告するためのＭＲの動的設定のシグナリングオーバヘッドを低減すること。
−  ＣＳＩを測定および報告するためのＭＲの動的設定は、ＵＥがいくつかのＣＳＩ−ＲＳリソースにわたる測定平均化を用いることを一時的に可能にするために、ＭＲを無効にする利点を有すること。
【０１１３】
本明細書における諸実施形態によれば、無線デバイス９０がさらに提供され、この無線デバイス９０は、上位層シグナリングによって、チャネル状態情報（ＣＳＩ）を測定および／または報告するための第１の測定制限（ＭＲ）設定を用いて設定されており、無線デバイス９０は処理回路機構とメモリとを備え、前記メモリは前記処理回路機構によって実行可能な命令を含み、それにより、前記無線デバイス９０は、下位層シグナリングによって、無線ネットワークノード（８０）から、ＣＳＩを測定および／または報告するための第２のＭＲ設定が、ＣＳＩを測定および／または報告するための第１のＭＲ設定を置換することを指示する第１の指示を受信するように適合されており、および／または設定されており、および／または動作可能である。
【０１１４】
対応する方法の実施形態の特徴に関する詳細は以上においてすでに提供されており、そのため、このような詳細を繰り返すことは不要と考えられる。これは、以下において開示されることになる無線デバイス９０に関連する全ての実施形態に当てはまる。
【０１１５】
１つの例示的な実施形態では、ＣＳＩを測定および／または報告するための第２のＭＲ設定が、所定の期間の間、ＣＳＩを測定および報告する際に、ＣＳＩを測定および／または報告するための第１のＭＲ設定を置換する、無線デバイス９０が開示される。
【０１１６】
別の例示的な実施形態では、所定の期間が、設定可能な時間の後に終了する、無線デバイス９０が開示される。
【０１１７】
１つの例示的な実施形態では、下位層シグナリングによって、所定の期間が終了することを指示する第２の指示を受信するようにさらに適合されており、および／または設定されている、無線デバイス９０が開示される。
【０１１８】
一態様では、ＣＳＩを測定および報告するためのＣＳＩを測定および／または報告するための第２のＭＲ設定が前もって決められている、無線デバイス９０が開示される。
【０１１９】
さらに別の例示的な実施形態では、ＣＳＩを測定および／または報告するための第２のＭＲ設定が所定のＭＲ設定のセットから選択される、無線デバイス９０が開示される。
【０１２０】
別の例示的な実施形態では、ＣＳＩを測定および／または報告するための第２のＭＲ設定が測定制限を含まない、無線デバイス９０が開示される。
【０１２１】
１つの例示的な実施形態では、無線デバイス９０が、ＣＳＩを測定および／または報告するための第２のＭＲ設定に基づくＣＳＩ報告を無線ネットワークノード８０へ送信するようにさらに適合されており、および／または設定されている、無線デバイス９０が開示される。
【０１２２】
本明細書における諸実施形態によれば、以上において開示されたように、プロセッサとメモリとを備える無線デバイス９０であって、メモリはプロセッサによって実行可能な命令を含み、それにより、チャネル状態情報（ＣＳＩ）を報告するための主なステップを遂行するように動作可能であり、および／または適合されている、無線デバイス９０がさらに提供され、以下のように要約することができ、図９に示される：
−  下位層シグナリングによって、無線ネットワークノード（８０）から、ＣＳＩを測定および／または報告するための第２のＭＲ設定が、ＣＳＩを測定および／または報告するための第１のＭＲ設定を置換することを指示する第１の指示を受信する。
【０１２３】
以上において開示されたように、無線デバイス９０によって／無線デバイス９０内で遂行される方法に関して以前に開示されたのと同じ利点がこれによって同様に達成される。
【０１２４】
本明細書における諸実施形態によれば、無線デバイス９０を無線ネットワーク内で動作させるように適合された無線ネットワークノード８０がさらに提供される。無線ネットワークノード８０は、ＣＳＩを測定および／または報告するための第２のＭＲ設定が、ＣＳＩを測定および／または報告するための第１のＭＲ設定を置換することを指示する第１の指示を、下位層シグナリングを用いて送信するための送信器モジュール８２と、ＣＳＩを測定および／または報告するための第２のＭＲ設定に基づくＣＳＩ報告を受信するための受信モジュールと、を備える。
【０１２５】
本明細書における諸実施形態によれば、下位層シグナリングによって、無線ネットワークノード８０から、ＣＳＩを測定および／または報告するための第２のＭＲ設定が、ＣＳＩを測定および／または報告するための第１のＭＲ設定を置換することを指示する第１の指示を受信するように適合された無線デバイス９０がさらに提供される。無線デバイス９０は、下位層シグナリングによって、無線ネットワークノード８０から、ＣＳＩを測定および／または報告するための第２のＭＲ設定が、ＣＳＩを測定および／または報告するための第１のＭＲ設定を置換することを指示する第１の指示を受信する受信器モジュール９２と、ＣＳＩを測定および／または報告するための第２のＭＲ設定に基づくＣＳＩ報告を無線ネットワークノード８０へ送信するための送信器モジュール９３と、を備える。
【０１２６】
図１０を参照すると、以前に開示された実施形態に係る無線ネットワークノード８０の例示的な構成要素のブロック図が示されている。無線ネットワークノード８０は、送信器回路または送信器モジュール８２と、受信器回路または受信器モジュール８３と、プロセッサ８４または処理モジュールまたは処理回路機構と、メモリまたはメモリモジュール８１と、任意選択的に、アンテナ８５とを備え得る。
【０１２７】
アンテナ８５は、エアインターフェースを通じて無線周波数（ｒａｄｉｏ  ｆｒｅｑｕｅｎｃｙ、ＲＦ）信号を送信および／または受信するための１つまたは複数のアンテナを含み得る。アンテナ８５は、例えば、ＲＦ信号を送信器回路８２から受信し、エアインターフェースを通じてＲＦ信号を１つまたは複数の無線デバイス、例えば、ＵＥへ送信し、エアインターフェースを通じてＲＦ信号を１つまたは複数の無線デバイス、例えば、ＵＥから受信し、ＲＦ信号を受信器回路８３へ提供し得る。
【０１２８】
処理モジュール／回路８４は、プロセッサ、マイクロプロセッサ、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、または同様のものを含む。プロセッサ８４は無線ネットワークノード８０および無線ネットワークノード８０の構成要素の動作を制御する。メモリ（回路もしくはモジュール）８５は、ランダムアクセスメモリ（ｒａｎｄｏｍ  ａｃｃｅｓｓ  ｍｅｍｏｒｙ、ＲＡＭ）、リードオンリーメモリ（ｒｅａｄ  ｏｎｌｙ  ｍｅｍｏｒｙ、ＲＯＭ）、ならびに／あるいはプロセッサ８４によって用いられ得るデータおよび命令を記憶するための別の種類のメモリを含む。無線ネットワークノード８０は、図１０に示されていない追加の構成要素を備え得る。
【０１２９】
メモリ８１は、プロセッサ８４によって実行可能な命令を含み得、それにより、無線ネットワークノード８０は、上述された方法ステップを遂行するように動作可能である。また、例えば、プロセッサ８４によって、無線ネットワークノード８０内で実行されると、無線ネットワークノード８０に、フィードバックタイミングインジケータ（ｆｅｅｄｂａｃｋ  ｔｉｍｉｎｇ  ｉｎｄｉｃａｔｏｒ、ＦＴＩ）を送信することであって、インジケータはインジケータのセットから選択される、送信することを含む、上述された方法ステップを遂行させる、コンピュータ可読コード手段を含むコンピュータプログラムが同様に提供される。
【０１３０】
図１１を参照すると、以前に開示された実施形態に係る無線デバイス９０の例示的な構成要素のブロック図が示されている。無線デバイス９０は、送信器回路または送信器モジュール９３と、受信器回路または受信器モジュール９２と、プロセッサ９４または処理モジュールまたは処理回路機構と、メモリまたはメモリモジュール９１とを備え得、任意選択的に、１つのアンテナ９５も備え得る。
【０１３１】
アンテナ９５は、エアインターフェースを通じて無線周波数（ＲＦ）信号を送信および／または受信するための１つまたは複数のアンテナを含み得る。アンテナ９５は、例えば、送信器回路９３からＲＦ信号を受信し、エアインターフェースを通じてＲＦ信号を１つまたは複数の無線ネットワークノード、すなわち、無線基地局、例えば、ｅＮｏｄｅＢまたはｅＮＢまたはＡＰへ送信し、エアインターフェースを通じてＲＦ信号を１つまたは複数の無線基地局、例えば、ｅＮｏｄｅＢまたはｅＮＢまたはＡＰから受信し、ＲＦ信号を受信器回路９２へ提供し得る。
【０１３２】
処理モジュール／回路９４は、プロセッサ、マイクロプロセッサ、特定用途向け集積回路（ＡＳＩＣ）、フィールドプログラマブルゲートアレイ（ＦＰＧＡ）、または同様のものを含む。プロセッサ９４は無線デバイス９０および無線デバイス９０の構成要素の動作を制御する。メモリ（回路もしくはモジュール）９１は、ランダムアクセスメモリ（ＲＡＭ）、リードオンリーメモリ（ＲＯＭ）、ならびに／あるいはプロセッサ９４によって用いられ得るデータおよび命令を記憶するための別の種類のメモリを含む。無線デバイス９０は、図１１に示されていない追加の構成要素を備え得る。
【０１３３】
メモリ９１は、プロセッサ９４によって実行可能な命令を含み得、それにより、無線デバイス９０は、上述された方法ステップを遂行するように動作可能である。また、例えば、プロセッサ９４によって、無線デバイス９０内で実行されると、無線デバイス９０に、フィードバックタイミングインジケータ（ＦＴＩ）を受信し、フィードバックタイミングインジケータに基づいて再送信フィードバックを送信することを含む、上述された方法ステップを遂行させる、コンピュータ可読コード手段を含むコンピュータプログラムが同様に提供される。これは、処理モジュール９４、受信器モジュール９２および送信器モジュール９３によって行われ得る。
【０１３４】
無線ネットワーク１００は、ＵＭＴＳ、ＬＴＥ、ＮＲ、ＧＳＭ、ＣＤＭＡ２０００、もしくはＥＰＳなどのコアネットワーク、またはそれらの任意の組み合わせなどの、３ＧＰＰによって規定されるとおりの任意の通信システムであり得る。
【０１３５】
ＣＳＩ報告が、ＣＳＩを測定および／または報告するためのＭＲ設定に基づくということは、無線デバイスがＭＲ設定に従ってＣＳＩ−ＲＳリソースおよびＣＳＩ−ＩＭリソース上で測定することを意味し得る。ＣＳＩを測定および／または報告するためのＭＲ設定は、ＣＳＩ−ＲＳリソースおよび／またはＣＳＩ−ＩＭリソースにわたる測定の平均化を可能にしてもよく、または可能にしなくてもよい。
【０１３６】
正規のＤＣＩは、要求された再送信フィードバックおよび／またはＵＬデータを送信する際に用いられ得る、受信デバイス９０のための、符号レート、および／または変調および符号化方式（ｍｏｄｕｌａｔｉｏｎ  ａｎｄ  ｃｏｄｉｎｇ  ｓｃｈｅｍｅ、ＭＣＳ）、および／またはメッセージサイズ、および／またはトランスポートブロックサイズ、および／または使用するキャリア、および／または送信周波数を制御するための設定情報を含み得る。これは、現在のチャネル条件に対する、ＵＬサブフレームにおける送信フォーマットの採用を可能にし得、その結果、ＵＬ送信の信頼性を改善し得る。
【０１３７】
ＣＳＩ−ＲＳリソースは、無線通信システム内の無線リソース、具体的には、ＬＴＥシステム内の１つまたは複数のサブフレーム、および／またはリソースブロック、および／またはリソースエレメントであり得る。
【０１３８】
ＭＲを用いて設定されると、無線デバイスは、ＮＺＰ  ＣＳＩ−ＲＳリソースおよび／またはＣＳＩ−ＩＭ／ＺＰ  ＣＳＩ−ＲＳリソースにわたる、ならびに／あるいはサブフレームにわたる推定のチャネル補間および／または測定平均化を遂行することを許されないことがある。
【０１３９】
ＣＳＩ−ＲＳリソース（例えば、ＮＺＰ  ＣＳＩ−ＲＳリソースおよび／またはＣＳＩ−ＩＭ／ＺＰ  ＣＳＩ−ＲＳリソース）にわたる、ならびに／あるいはサブフレームにわたる推定のチャネル補間および／または測定平均化を遂行すること、および／または用いることは、異なるＣＳＩ−ＲＳリソースおよびＣＳＩ−ＩＭリソースからのＣＳＩを測定および／または推定することから得た一連の結果が、チャネル条件および／またはチャネル状態を反映する正確で信頼性のあるＣＳＩ値を算出するために用いられ得ることを意味し得る。例えば、ＣＳＩの信頼性のある正確な値を取得するために、重み付き平均またはチャネル補間が遂行され得る。
【０１４０】
ＣＳＩを測定および／または報告するためのＭＲ設定は、例えば、ＮＺＰ  ＣＳＩ−ＲＳおよび／またはＣＳＩ−ＩＭリソースの系列内の、サブフレームにわたる、ＣＳＩ−ＲＳリソースおよび／またはＣＳＩ−ＩＭリソース上で測定する際に取得されたチャネル測定および／またはチャネル推定のチャネル補間を遂行するための制限を課し得る。
【０１４１】
無線デバイスはＭＲオーバーライドを適用し得るが、これは、無線デバイスが、上位層シグナリング、例えば、ＲＲＣシグナリングを用いて無線デバイスへシグナリングされ、無線デバイスがＭＲオーバーライドを適用しない場合に適用されるであろう、ＣＳＩを測定および／または報告するためのＭＲ設定とは異なる、ＣＳＩを測定および／または報告するためのＭＲ設定に基づいてＣＳＩを測定および報告することを意味し得る。具体的には、無線デバイスは、たとえ、無線デバイスが、ＲＲＣシグナリングによって、ＣＳＩを測定および／または報告するためのＭＲ設定を用いて設定されていても、測定制限を適用しないことによって、ＭＲオーバーライドを適用し得る。
【０１４２】
下位層シグナリング、具体的には、ＰＤＣＣＨ（またはｅＰＤＣＣＨ）によって搬送されるダウンリンク制御情報（ＤＣＩ）メッセージと、上位層シグナリング、例えば、ＲＲＣシグナリングとの主な相違は、シグナリングの信頼性、曖昧さおよび遅延にある。下位層シグナリングは再送信をサポートしない場合があり、したがって、信頼性がより低くなり得るが（信頼性〜１０−２）、下位層シグナリングと比べて遅延を生じさせる、それぞれ、ＭＡＣ層およびＲＬＣ層におけるＨＡＲＱ再送信およびＡＲＱ再送信の両方を受け得る上位層シグナリングよりもはるかに高速になり得る。加えて、ＵＥが、上位層シグナリング内で指示された変更をいつ採用したのかについての曖昧さが存在する。その一方で、下位層でシグナリングされたメッセージは即座に採用される。下位層シグナリングは、＜１００ビットのペイロード情報のみ搬送することができるが、その一方で、このような制約は上位層シグナリングのために全く存在しない。
【０１４３】
本開示全体を通じて、単語「〜を備える（ｃｏｍｐｒｉｓｅ）」または「〜を備える（ｃｏｍｐｒｉｓｉｎｇ）」は非限定的な意味で用いられた。すなわち、「少なくとも〜からなる（ｃｏｎｓｉｓｔ  ａｔ  ｌｅａｓｔ  ｏｆ）」を意味する。本明細書においては、特定の用語が採用されている場合があるが、これらは一般的な説明の意味で用いられているにすぎず、限定の目的のために用いられているわけではない。特に、たとえ、３ＧＰＰおよびＩＥＥＥ８０２．１１ＥＥＥからの用語法が、本開示において、本発明を例示するために用いられていても、これは、本発明の範囲を上述のシステムのみに限定するものと見なされるべきではないことに留意されたい。ＬＴＥもしくはＬＴＥ−Ａ（ＬＴＥ−Ａｄｖａｎｃｅｄ）およびＷｉＭａｘを含む、他の通信システムもまた、本開示内において包括される概念を利用することから恩恵を受け得る。
【０１４４】
参照文献
［１］    ３ＧＰＰ  ＴＳ３６．２１３，  Ｖ１２．３．０  （ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．２１３／３６２１３−ｃ３０．ｚｉｐ）
［２］    ３ＧＰＰ  ＴＳ３６．３３１  Ｖ１２．３．０  （ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．３３１／３６３３１−ｃ３０．ｚｉｐ）
［３］    ３ＧＰＰ  ＴＳ３６．２１１  Ｖ１２．３．０  （ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．２１１／３６２１１−ｃ３０．ｚｉｐ）
［４］  ３ＧＰＰ  ３６．２１２  Ｖ１２．３．０  （ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．２１２／３６２１２−ｃ３０．ｚｉｐ）
【図１】
2019501561.tif 000006
【図２】
2019501561.tif 000007
【図３】
2019501561.tif 000008
【図４】
2019501561.tif 000009
【図５】
2019501561.tif 000010
【図６】
2019501561.tif 000011
【図７】
2019501561.tif 000012
【図８】
2019501561.tif 000013
【図９】
2019501561.tif 000014
【図１０】
2019501561.tif 000015
【図１１】
2019501561.tif 000016
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
無線ネットワークノード（８０）において、無線ネットワーク（１００）内で無線デバイス（９０）を動作させるための方法であって、前記無線デバイス（９０）は、上位層シグナリングによって、チャネル状態情報（ＣＳＩ）を測定および／または報告するための第１の測定制限（ＭＲ）設定を用いて設定される、方法において、
−  ＣＳＩを測定および／または報告するための第２のＭＲ設定が、ＣＳＩを測定および／または報告するための前記第１のＭＲ設定を置換することを指示する第１の指示を、下位層シグナリングを用いて送信すること（４２）
を含む、方法。
【請求項２】
ＣＳＩを測定および／または報告するための前記第２のＭＲ設定が、所定の期間の間、ＣＳＩを測定および／または報告するための前記第１のＭＲ設定を置換する、請求項１に記載の方法。
【請求項３】
前記所定の期間が、設定可能な時間の後に終了する、請求項２に記載の方法。
【請求項４】
前記方法が、
−  下位層シグナリングを用いて第２の指示を送信すること（４４）であって、前記第２の指示は、前記所定の期間が終了することを指示する、送信すること（４４）
をさらに含む、請求項２に記載の方法。
【請求項５】
ＣＳＩを測定および／または報告するための前記第２のＭＲ設定が前もって決められている、請求項１に記載の方法。
【請求項６】
ＣＳＩを測定および／または報告するための前記第２のＭＲ設定が所定のＭＲ設定のセットから選択される、請求項１に記載の方法。
【請求項７】
ＣＳＩを測定および／または報告するための前記第２のＭＲ設定が測定制限を含まない、請求項１から６のいずれか一項に記載の方法。
【請求項８】
−  前記無線デバイス（９０）から、ＣＳＩを測定および／または報告するための前記第２のＭＲ設定に基づくＣＳＩ報告を受信すること
をさらに含む、請求項１から７のいずれか一項に記載の方法。
【請求項９】
無線デバイス（９０）においてチャネル状態情報（ＣＳＩ）を報告するための方法であって、前記無線デバイス（９０）は、上位層シグナリングによって、第１の測定制限（ＭＲ）設定に従ってＣＳＩを測定および／または報告するように設定される、方法において、
−  下位層シグナリングによって、無線ネットワークノード（８０）から、ＣＳＩを測定および／または報告するための第２のＭＲ設定が、ＣＳＩを測定および／または報告するための前記第１のＭＲ設定を置換することを指示する第１の指示を受信すること（５２）
を含む、方法。
【請求項１０】
ＣＳＩを測定および／または報告するための前記第２のＭＲ設定が、所定の期間の間、ＣＳＩを測定および報告する際に、ＣＳＩを測定および／または報告するための前記第１のＭＲ設定を置換する、請求項９に記載の方法。
【請求項１１】
前記所定の期間が、設定可能な時間の後に終了する、請求項１０に記載の方法。
【請求項１２】
前記方法が、
−  下位層シグナリングによって、前記所定の期間が終了することを指示する第２の指示を受信すること（５４）
をさらに含む、請求項１０に記載の方法。
【請求項１３】
ＣＳＩを測定および報告するためのＣＳＩを測定および／または報告するための前記第２のＭＲ設定が前もって決められている、請求項９に記載の方法。
【請求項１４】
ＣＳＩを測定および／または報告するための前記第２のＭＲ設定が所定のＭＲ設定のセットから選択される、請求項９に記載の方法。
【請求項１５】
ＣＳＩを測定および／または報告するための前記第２のＭＲ設定が測定制限を含まない、請求項９から１４のいずれか一項に記載の方法。
【請求項１６】
−  ＣＳＩを測定および／または報告するための前記第２のＭＲ設定に基づくＣＳＩ報告を前記無線ネットワークノード（８０）へ送信すること
をさらに含む、請求項９から１５のいずれか一項に記載の方法。
【請求項１７】
無線ネットワーク（１００）内で無線デバイス（９０）を動作させるための無線ネットワークノード（８０）であって、処理回路機構とメモリとを備え、前記メモリは前記処理回路機構によって実行可能な命令を含む、無線ネットワークノード（８０）において、
−  ＣＳＩを測定および／または報告するための第２のＭＲ設定が、ＣＳＩを測定および／または報告するための第１のＭＲ設定を置換することを指示する第１の指示を、下位層シグナリングを用いて送信する
ように適合されており、および／または設定されており、および／または動作可能である、無線ネットワークノード（８０）。
【請求項１８】
ＣＳＩを測定および／または報告するための前記第２のＭＲ設定が、所定の期間の間、ＣＳＩを測定および／または報告するための前記第１のＭＲ設定を置換する、請求項１７に記載の無線ネットワークノード（８０）。
【請求項１９】
前記所定の期間が、設定可能な時間の後に終了する、請求項１８に記載の無線ネットワークノード（８０）。
【請求項２０】
−  下位層シグナリングを用いて第２の指示を送信すること（４４）であって、前記第２の指示は、前記所定の期間が終了することを指示する、送信すること（４４）
を行うようにさらに適合されている、および／または設定されている、請求項１８に記載の無線ネットワークノード（８０）。
【請求項２１】
ＣＳＩを測定および／または報告するための前記第２のＭＲ設定が前もって決められている、請求項１７に記載の無線ネットワークノード（８０）。
【請求項２２】
ＣＳＩを測定および／または報告するための前記第２のＭＲ設定が所定のＭＲ設定のセットから選択される、請求項１７に記載の無線ネットワークノード（８０）。
【請求項２３】
ＣＳＩを測定および／または報告するための前記第２のＭＲ設定が測定制限を含まない、請求項１７から２２のいずれか一項に記載の無線ネットワークノード（８０）。
【請求項２４】
−  前記無線デバイス（９０）から、ＣＳＩを測定および／または報告するための前記第２のＭＲ設定に基づくＣＳＩ報告を受信する
ようにさらに適合されている、および／または設定されている、請求項１７から２２のいずれか一項に記載の無線ネットワークノード（８０）。
【請求項２５】
チャネル状態情報（ＣＳＩ）を報告するための無線デバイス（９０）であって、前記無線デバイス（９０）は処理回路機構とメモリとを備え、前記メモリは前記処理回路機構によって実行可能な命令を含み、それにより、前記無線デバイス（９０）は、
−  上位層シグナリングによって、チャネル状態情報（ＣＳＩ）を測定および／または報告するための第１の測定制限（ＭＲ）設定を用いて設定され、
−  下位層シグナリングによって、無線ネットワークノード（８０）から、ＣＳＩを測定および／または報告するための第２のＭＲ設定が、ＣＳＩを測定および／または報告するための前記第１のＭＲ設定を置換することを指示する第１の指示を受信する
ように適合されており、および／または設定されており、および／または動作可能である、無線デバイス（９０）。
【請求項２６】
ＣＳＩを測定および／または報告するための前記第２のＭＲ設定が、所定の期間の間、ＣＳＩを測定および報告する際に、ＣＳＩを測定および／または報告するための前記第１のＭＲ設定を置換する、請求項２５に記載の無線デバイス（９０）。
【請求項２７】
前記所定の期間が、設定可能な時間の後に終了する、請求項２６に記載の無線デバイス（９０）。
【請求項２８】
前記無線デバイス（９０）が、
−  下位層シグナリングによって、前記所定の期間が終了することを指示する第２の指示を受信する
ようにさらに適合されている、および／または設定されている、請求項２６に記載の無線デバイス（９０）。
【請求項２９】
ＣＳＩを測定および報告するためのＣＳＩを測定および／または報告するための前記第２のＭＲ設定が前もって決められている、請求項２５に記載の無線デバイス（９０）。
【請求項３０】
ＣＳＩを測定および／または報告するための前記第２のＭＲ設定が所定のＭＲ設定のセットから選択される、請求項２５に記載の無線デバイス（９０）。
【請求項３１】
ＣＳＩを測定および／または報告するための前記第２のＭＲ設定が測定制限を含まない、請求項２５から３０のいずれか一項に記載の無線デバイス（９０）。
【請求項３２】
−  ＣＳＩを測定および／または報告するための前記第２のＭＲ設定に基づくＣＳＩ報告を前記無線ネットワークノード（８０）へ送信する
ようにさらに適合されている、および／または設定されている、請求項２５から３１のいずれか一項に記載の無線デバイス（９０）。
【国際調査報告】
2019501561.tif 000017
2019501561.tif 000018
2019501561.tif 000019
2019501561.tif 000020